(57)【要約】【課題】データ放送サービスにおいて、放送番組の視聴を継続しながら、外部機関が有する秘匿性の高い情報を受信端末に同時に表示可能な技術を提供することを課題とする。【解決手段】データ放送システム１は、コンテンツ提供サーバ１０によって、ユーザからのコンテンツ送信要求に応じて、連携サーバ３０を介して外部情報提供サーバ２０から外部情報の属性情報を取得し、外部情報に適した表示形式にコンテンツを整形して受信端末４０に提供する。また、データ放送システム１は、ユーザからの外部情報要求に応じて、外部情報提供サーバ２０によって、受信端末４０に秘匿性の高い外部情報を直接提供する。さらに、データ放送システム１は、受信端末４０によって、コンテンツ提供サーバ１０から表示形式が整形されたコンテンツを受信し、外部情報提供サーバ２０から外部情報を受信し、コンテンツに外部情報を埋め込んで表示する。【選択図】図２
2010212910.tif 000002
【特許請求の範囲】
【請求項１】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおける前記コンテンツ提供サーバであって、
前記ユーザごとに当該ユーザを識別するための前記第１識別情報と連携用の識別情報である前記第１連携識別情報とを対応付けて記憶する第１識別情報記憶手段と、
前記データ放送コンテンツを記憶するコンテンツ記憶手段と、
前記受信端末から、前記第１識別情報と前記外部情報を特定する要求サービス種別とを含んだコンテンツ要求を受信するコンテンツ要求受信手段と、
前記コンテンツ要求に含まれている前記要求サービス種別と、前記第１識別情報記憶手段において前記第１識別情報に対応付けられている前記第１連携識別情報とを、前記外部情報の属性を示す属性情報を要求する第１属性情報要求として、前記連携サーバに送信する第１属性情報要求送信手段と、
前記連携サーバから、当該連携サーバが前記第１連携識別情報に対応付けられている前記第２連携識別情報によって前記外部情報提供サーバから取得した前記属性情報を受信する第２属性情報受信手段と、
この第２属性情報受信手段で受信した属性情報に基づいて、前記コンテンツ記憶手段に記憶されているデータ放送コンテンツの表示形式を整形するコンテンツ整形手段と、
このコンテンツ整形手段で表示形式が整形されたデータ放送コンテンツを、前記第１識別情報記憶手段において前記第１連携識別情報と対応付けられている第１識別情報に対応する前記受信端末に送信するコンテンツ送信手段と、を備えることを特徴とするコンテンツ提供サーバ。
【請求項２】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおける前記コンテンツ提供サーバであって、
前記ユーザごとに当該ユーザを識別するための前記第１識別情報と連携用の識別情報である前記第１連携識別情報とを対応付けて記憶する第１識別情報記憶手段と、
前記データ放送コンテンツを記憶するコンテンツ記憶手段と、
前記受信端末から、前記第１識別情報と前記外部情報を特定する要求サービス種別とを含んだコンテンツ要求を受信するコンテンツ要求受信手段と、
前記コンテンツ要求に含まれている前記要求サービス種別と、前記第１識別情報記憶手段において前記第１識別情報に対応付けられている前記第１連携識別情報とを、前記外部情報の属性を示す属性情報を要求する第１属性情報要求として、前記連携サーバに送信する第１属性情報要求送信手段と、
前記連携サーバから、当該連携サーバが前記第１連携識別情報に対応付けられている前記第２連携識別情報によって前記外部情報提供サーバから取得した前記属性情報を受信する第２属性情報受信手段と、
この第２属性情報受信手段で受信した前記属性情報を前記受信端末に送信する第３属性情報送信手段と、
前記コンテンツ記憶手段から読み出したデータ放送コンテンツを、前記第１識別情報記憶手段において前記第１連携識別情報と対応付けられている第１識別情報に対応する前記受信端末に送信するコンテンツ送信手段と、を備えることを特徴とするコンテンツ提供サーバ。
【請求項３】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおける前記外部情報提供サーバであって、
前記ユーザごとに当該ユーザを識別するための前記第２識別情報と連携用の識別情報である前記第２連携識別情報とを対応付けて記憶する第２識別情報記憶手段と、
前記外部情報と当該外部情報の属性を示す属性情報とを対応付けて記憶する外部情報記憶手段と、
前記受信端末から、前記第２識別情報と前記要求サービス種別とを含んだ外部情報要求を受信する外部情報要求受信手段と、
前記要求サービス種別で特定される前記外部情報を、前記外部情報記憶手段から読み出して、前記受信端末に送信する外部情報送信手段と、
前記連携サーバから、前記第２連携識別情報を含んだ前記属性情報を要求する第２属性情報要求を受信する第２属性情報要求受信手段と、
前記外部情報の属性を示す前記属性情報を、前記外部情報記憶手段から読み出して、前記第２属性情報要求の送信元の連携サーバに送信する第１属性情報送信手段と、を備えることを特徴とする外部情報提供サーバ。
【請求項４】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおける前記連携サーバであって、
前記第１連携識別情報と前記第２連携識別情報とを予め対応付けて記憶する連携識別情報記憶手段と、
前記コンテンツ提供サーバから、前記外部情報を特定する要求サービス種別と前記第１連携識別情報とを含んだ前記外部情報の属性を示す属性情報を要求する第１属性情報要求を受信する第１属性情報要求受信手段と、
この第１属性情報要求受信手段で受信した第１属性情報要求に含まれている第１連携識別情報を、前記連携識別情報記憶手段において前記第１連携識別情報に対応付けられている第２連携用識別情報に置き換えて、前記第２属性情報要求として、前記外部情報提供サーバに送信する第２属性情報要求送信手段と、
前記外部情報提供サーバから、前記要求サービス種別で特定される外部情報に対応する前記属性情報を受信する第１属性情報受信手段と、
この第２属性情報受信手段で受信した属性情報を、前記連携情報記憶手段において前記第２連携識別情報に対応付けられている第１連携識別情報に対応する前記コンテンツ提供サーバに送信する第２属性情報送信手段と、を備えることを特徴とする連携サーバ。
【請求項５】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおける前記受信端末であって、
前記第１識別情報と前記外部情報を特定する要求サービス種別とを含んだコンテンツ要求を前記コンテンツ提供サーバに送信するコンテンツ要求送信手段と、
前記コンテンツ提供サーバから、表示形式が整形された前記データ放送コンテンツを受信するコンテンツ受信手段と、
前記第２識別情報と前記要求サービス種別とを含んだ外部情報要求を前記外部情報提供サーバに送信する外部情報要求送信手段と、
前記外部情報提供サーバから、前記外部情報を受信する外部情報受信手段と、
前記表示形式に従って、前記データ放送コンテンツの内部に前記外部情報を埋め込むコンテンツ合成手段と、
前記コンテンツ合成手段で合成された合成コンテンツを表示画面に表示させる画面表示手段と、を備えることを特徴とする受信端末。
【請求項６】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおける前記受信端末であって、
前記第１識別情報と前記外部情報を特定する要求サービス種別とを含んだコンテンツ要求を前記コンテンツ提供サーバに送信するコンテンツ要求送信手段と、
前記コンテンツ提供サーバから、前記データ放送コンテンツを受信するコンテンツ受信手段と、
前記第２識別情報と前記要求サービス種別とを含んだ外部情報要求を前記外部情報提供サーバに送信する外部情報要求送信手段と、
前記外部情報提供サーバから、前記外部情報を受信する外部情報受信手段と、
前記コンテンツ提供サーバから前記属性情報を受信する第３属性情報受信手段と、
この第３属性情報受信手段で受信した属性情報に基づいて、前記コンテンツ受信手段で受信した前記データ放送コンテンツの表示形式を整形するコンテンツ整形手段と、
このコンテンツ整形手段で表示形式が整形されたデータ放送コンテンツの内部に、前記外部情報を埋め込むコンテンツ合成手段と、
前記コンテンツ合成手段で合成された合成コンテンツを表示画面に表示させる画面表示手段と、を備えることを特徴とする受信端末。
【請求項７】
データ放送コンテンツを提供するコンテンツ提供サーバと、前記データ放送コンテンツの内部に埋め込む外部情報を提供する外部情報提供サーバと、前記データ放送コンテンツを利用するユーザと前記外部情報を利用するユーザとを対応付けて連携させる連携サーバと、受信端末とを、ネットワークを介して接続し、受信端末に、前記データ放送コンテンツと前記外部情報とを連携させて提供するデータ放送システムであって、
前記コンテンツ提供サーバは、
前記ユーザごとに当該ユーザを識別するための前記第１識別情報と連携用の識別情報である前記第１連携識別情報とを対応付けて記憶する第１識別情報記憶手段と、
前記データ放送コンテンツを記憶するコンテンツ記憶手段と、
前記受信端末から、前記第１識別情報と前記外部情報を特定する要求サービス種別とを含んだコンテンツ要求を受信するコンテンツ要求受信手段と、
前記コンテンツ要求に含まれている前記要求サービス種別と、前記第１識別情報記憶手段において前記第１識別情報に対応付けられている前記第１連携識別情報とを、前記外部情報の属性を示す属性情報を要求する第１属性情報要求として、前記連携サーバに送信する第１属性情報要求送信手段と、
前記連携サーバから、当該連携サーバが前記第１連携識別情報に対応付けられている前記第２連携識別情報によって前記外部情報提供サーバから取得した前記属性情報を受信する第２属性情報受信手段と、
この第２属性情報受信手段で受信した属性情報に基づいて、前記コンテンツ記憶手段に記憶されているデータ放送コンテンツの表示形式を整形するコンテンツ整形手段と、
このコンテンツ整形手段で表示形式が整形されたデータ放送コンテンツを、前記第１識別情報記憶手段において前記第１連携識別情報と対応付けられている第１識別情報に対応する前記受信端末に送信するコンテンツ送信手段と、を備え
前記外部情報提供サーバは、
前記ユーザごとに当該ユーザを識別するための前記第２識別情報と連携用の識別情報である前記第２連携識別情報とを対応付けて記憶する第２識別情報記憶手段と、
前記外部情報と当該外部情報の属性を示す属性情報とを対応付けて記憶する外部情報記憶手段と、
前記受信端末から、前記第２識別情報と前記要求サービス種別とを含んだ外部情報要求を受信する外部情報要求受信手段と、
前記要求サービス種別で特定される前記外部情報を、前記外部情報記憶手段から読み出して、前記受信端末に送信する外部情報送信手段と、
前記連携サーバから、前記第２連携識別情報を含んだ前記属性情報を要求する第２属性情報要求を受信する第２属性情報要求受信手段と、
前記外部情報の属性を示す前記属性情報を、前記外部情報記憶手段から読み出して、前記第２属性情報要求の送信元の連携サーバに送信する第１属性情報送信手段と、を備え、
前記連携サーバは、
前記第１連携識別情報と前記第２連携識別情報とを予め対応付けて記憶する連携識別情報記憶手段と、
前記コンテンツ提供サーバから、前記外部情報を特定する要求サービス種別と前記第１連携識別情報とを含んだ前記外部情報の属性を示す属性情報を要求する第１属性情報要求を受信する第１属性情報要求受信手段と、
この第１属性情報要求受信手段で受信した第１属性情報要求に含まれている第１連携識別情報を、前記連携識別情報記憶手段において前記第１連携識別情報に対応付けられている第２連携用識別情報に置き換えて、前記第２属性情報要求として、前記外部情報提供サーバに送信する第２属性情報要求送信手段と、
前記外部情報提供サーバから、前記要求サービス種別で特定される外部情報に対応する前記属性情報を受信する第１属性情報受信手段と、
この第２属性情報受信手段で受信した属性情報を、前記連携情報記憶手段において前記第２連携識別情報に対応付けられている第１連携識別情報に対応する前記コンテンツ提供サーバに送信する第２属性情報送信手段と、を備え
前記受信端末は、
前記第１識別情報と前記外部情報を特定する要求サービス種別とを含んだコンテンツ要求を前記コンテンツ提供サーバに送信するコンテンツ要求送信手段と、
前記コンテンツ提供サーバから、表示形式が整形された前記データ放送コンテンツを受信するコンテンツ受信手段と、
前記第２識別情報と前記要求サービス種別とを含んだ外部情報要求を前記外部情報提供サーバに送信する外部情報要求送信手段と、
前記外部情報提供サーバから、前記外部情報を受信する外部情報受信手段と、
前記表示形式に従って、前記データ放送コンテンツの内部に前記外部情報を埋め込むコンテンツ合成手段と、
前記コンテンツ合成手段で合成された合成コンテンツを表示画面に表示させる画面表示手段と、を備えることを特徴とするデータ放送システム。
【請求項８】
データ放送コンテンツを提供するコンテンツ提供サーバと、前記データ放送コンテンツの内部に埋め込む外部情報を提供する外部情報提供サーバと、前記データ放送コンテンツを利用するユーザと前記外部情報を利用するユーザとを対応付けて連携させる連携サーバと、受信端末とを、ネットワークを介して接続し、受信端末に、前記データ放送コンテンツと前記外部情報とを連携させて提供するデータ放送システムであって、
前記コンテンツ提供サーバは、
前記ユーザごとに当該ユーザを識別するための前記第１識別情報と連携用の識別情報である前記第１連携識別情報とを対応付けて記憶する第１識別情報記憶手段と、
前記データ放送コンテンツを記憶するコンテンツ記憶手段と、
前記受信端末から、前記第１識別情報と前記外部情報を特定する要求サービス種別とを含んだコンテンツ要求を受信するコンテンツ要求受信手段と、
前記コンテンツ要求に含まれている前記要求サービス種別と、前記第１識別情報記憶手段において前記第１識別情報に対応付けられている前記第１連携識別情報とを、前記外部情報の属性を示す属性情報を要求する第１属性情報要求として、前記連携サーバに送信する第１属性情報要求送信手段と、
前記連携サーバから、当該連携サーバが前記第１連携識別情報に対応付けられている前記第２連携識別情報によって前記外部情報提供サーバから取得した前記属性情報を受信する第２属性情報受信手段と、
この第２属性情報受信手段で受信した前記属性情報を前記受信端末に送信する第３属性情報送信手段と、
前記コンテンツ記憶手段から読み出したデータ放送コンテンツを、前記第１識別情報記憶手段において前記第１連携識別情報と対応付けられている第１識別情報に対応する前記受信端末に送信するコンテンツ送信手段と、を備え
前記外部情報提供サーバは、
前記ユーザごとに当該ユーザを識別するための前記第２識別情報と連携用の識別情報である前記第２連携識別情報とを対応付けて記憶する第２識別情報記憶手段と、
前記外部情報と当該外部情報の属性を示す属性情報とを対応付けて記憶する外部情報記憶手段と、
前記受信端末から、前記第２識別情報と前記要求サービス種別とを含んだ外部情報要求を受信する外部情報要求受信手段と、
前記要求サービス種別で特定される前記外部情報を、前記外部情報記憶手段から読み出して、前記受信端末に送信する外部情報送信手段と、
前記連携サーバから、前記第２連携識別情報を含んだ前記属性情報を要求する第２属性情報要求を受信する第２属性情報要求受信手段と、
前記外部情報の属性を示す前記属性情報を、前記外部情報記憶手段から読み出して、前記第２属性情報要求の送信元の連携サーバに送信する第１属性情報送信手段と、を備え、
前記連携サーバは、
前記第１連携識別情報と前記第２連携識別情報とを予め対応付けて記憶する連携識別情報記憶手段と、
前記コンテンツ提供サーバから、前記外部情報を特定する要求サービス種別と前記第１連携識別情報とを含んだ前記外部情報の属性を示す属性情報を要求する第１属性情報要求を受信する第１属性情報要求受信手段と、
この第１属性情報要求受信手段で受信した第１属性情報要求に含まれている第１連携識別情報を、前記連携識別情報記憶手段において前記第１連携識別情報に対応付けられている第２連携用識別情報に置き換えて、前記第２属性情報要求として、前記外部情報提供サーバに送信する第２属性情報要求送信手段と、
前記外部情報提供サーバから、前記要求サービス種別で特定される外部情報に対応する前記属性情報を受信する第１属性情報受信手段と、
この第２属性情報受信手段で受信した属性情報を、前記連携情報記憶手段において前記第２連携識別情報に対応付けられている第１連携識別情報に対応する前記コンテンツ提供サーバに送信する第２属性情報送信手段と、を備え、
前記受信端末は、
前記第１識別情報と前記外部情報を特定する要求サービス種別とを含んだコンテンツ要求を前記コンテンツ提供サーバに送信するコンテンツ要求送信手段と、
前記コンテンツ提供サーバから、前記データ放送コンテンツを受信するコンテンツ受信手段と、
前記第２識別情報と前記要求サービス種別とを含んだ外部情報要求を前記外部情報提供サーバに送信する外部情報要求送信手段と、
前記外部情報提供サーバから、前記外部情報を受信する外部情報受信手段と、
前記コンテンツ提供サーバから前記属性情報を受信する第３属性情報受信手段と、
この第３属性情報受信手段で受信した属性情報に基づいて、前記コンテンツ受信手段で受信した前記データ放送コンテンツの表示形式を整形するコンテンツ整形手段と、
このコンテンツ整形手段で表示形式が整形されたデータ放送コンテンツの内部に、前記外部情報を埋め込むコンテンツ合成手段と、
前記コンテンツ合成手段で合成された合成コンテンツを表示画面に表示させる画面表示手段と、を備えることを特徴とするデータ放送システム。
【請求項９】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、前記データ放送コンテンツを提供するために、コンピュータを、
前記受信端末から、前記第１識別情報と前記外部情報を特定する要求サービス種別とを含んだコンテンツ要求を受信するコンテンツ要求受信手段、
前記コンテンツ要求に含まれている前記要求サービス種別と、前記ユーザごとに当該ユーザを識別するための前記第１識別情報と連携用の識別情報である前記第１連携識別情報とを対応付けて記憶する前記第１識別情報記憶手段において前記第１識別情報に対応付けられている前記第１連携識別情報とを、前記外部情報の属性を示す属性情報を要求する第１属性情報要求として、前記連携サーバに送信する第１属性情報要求送信手段、
前記連携サーバから、当該連携サーバが前記第１連携識別情報に対応付けられている前記第２連携識別情報によって前記外部情報提供サーバから取得した前記属性情報を受信する第２属性情報受信手段、
この第２属性情報受信手段で受信した属性情報に基づいて、コンテンツ記憶手段に記憶されているデータ放送コンテンツの表示形式を整形するコンテンツ整形手段、
このコンテンツ整形手段で表示形式が整形されたデータ放送コンテンツを、前記第１識別情報記憶手段において前記第１連携識別情報と対応付けられている第１識別情報に対応する前記受信端末に送信するコンテンツ送信手段として機能させることを特徴とするコンテンツ提供プログラム。
【請求項１０】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、前記データ放送コンテンツを提供するために、コンピュータを、
前記受信端末から、前記第１識別情報と前記外部情報を特定する要求サービス種別とを含んだコンテンツ要求を受信するコンテンツ要求受信手段、
前記コンテンツ要求に含まれている前記要求サービス種別と、前記ユーザごとに当該ユーザを識別するための前記第１識別情報と連携用の識別情報である前記第１連携識別情報とを対応付けて記憶する第１識別情報記憶手段において前記第１識別情報に対応付けられている前記第１連携識別情報とを、前記外部情報の属性を示す属性情報を要求する第１属性情報要求として、前記連携サーバに送信する第１属性情報要求送信手段、
前記連携サーバから、当該連携サーバが前記第１連携識別情報に対応付けられている前記第２連携識別情報によって前記外部情報提供サーバから取得した前記属性情報を受信する第２属性情報受信手段、
この第２属性情報受信手段で受信した前記属性情報を前記受信端末に送信する第３属性情報送信手段、
前記データ放送コンテンツを記憶するコンテンツ記憶手段から読み出したデータ放送コンテンツを、前記第１識別情報記憶手段において前記第１連携識別情報と対応付けられている第１識別情報に対応する前記受信端末に送信するコンテンツ送信手段として機能させることを特徴とするコンテンツ提供プログラム。
【請求項１１】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、前記外部情報を提供するために、コンピュータを、
前記受信端末から、前記第２識別情報と前記要求サービス種別とを含んだ外部情報要求を受信する外部情報要求受信手段、
前記要求サービス種別で特定される前記外部情報を、前記受信端末に送信する外部情報送信手段、
前記連携サーバから、前記第２連携識別情報を含んだ前記属性情報を要求する第２属性情報要求を受信する第２属性情報要求受信手段、
前記外部情報の属性を示す前記属性情報を、前記外部情報記憶手段から読み出して、前記第２属性情報要求の送信元の連携サーバに送信する第１属性情報送信手段として機能させることを特徴とする外部情報提供プログラム。
【請求項１２】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、前記データ放送コンテンツを利用するユーザと前記外部情報を利用するユーザとを連携させるために、コンピュータを、
前記コンテンツ提供サーバから、前記外部情報を特定する要求サービス種別と前記第１連携識別情報とを含んだ前記外部情報の属性を示す属性情報を要求する第１属性情報要求を受信する第１属性情報要求受信手段、
この第１属性情報要求受信手段で受信した第１属性情報要求に含まれている第１連携識別情報を、前記第１連携識別情報と前記第２連携識別情報とを予め対応付けて記憶する連携識別情報記憶手段において前記第１連携識別情報に対応付けられている第２連携用識別情報に置き換えて、前記第２属性情報要求として、前記外部情報提供サーバに送信する第２属性情報要求送信手段、
前記外部情報提供サーバから、前記要求サービス種別で特定される外部情報に対応する前記属性情報を受信する第１属性情報受信手段、
この第２属性情報受信手段で受信した属性情報を、前記連携情報記憶手段において前記第２連携識別情報に対応付けられている第１連携識別情報に対応する前記コンテンツ提供サーバに送信する第２属性情報送信手段として機能させることを特徴とするユーザ連携プログラム。
【請求項１３】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、データ放送コンテンツ及び外部情報を受信するために、コンピュータを、
前記第１識別情報と前記外部情報を特定する要求サービス種別とを含んだコンテンツ要求を前記コンテンツ提供サーバに送信するコンテンツ要求送信手段、
前記コンテンツ提供サーバから、表示形式が整形された前記データ放送コンテンツを受信するコンテンツ受信手段、
前記第２識別情報と前記要求サービス種別とを含んだ外部情報要求を前記外部情報提供サーバに送信する外部情報要求送信手段、
前記外部情報提供サーバから、前記外部情報を受信する外部情報受信手段、
前記表示形式に従って、前記データ放送コンテンツの内部に前記外部情報を埋め込むコンテンツ合成手段、
前記コンテンツ合成手段で合成された合成コンテンツを表示画面に表示させる画面表示手段として機能させることを特徴とするデータ放送受信プログラム。
【請求項１４】
データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、データ放送コンテンツ及び外部情報を受信するために、コンピュータを、
前記第１識別情報と前記外部情報を特定する要求サービス種別とを含んだコンテンツ要求を前記コンテンツ提供サーバに送信するコンテンツ要求送信手段、
前記コンテンツ提供サーバから、前記データ放送コンテンツを受信するコンテンツ受信手段、
前記第２識別情報と前記要求サービス種別とを含んだ外部情報要求を前記外部情報提供サーバに送信する外部情報要求送信手段、
前記外部情報提供サーバから、前記外部情報を受信する外部情報受信手段、
前記コンテンツ提供サーバから前記属性情報を受信する第３属性情報受信手段、
この第３属性情報受信手段で受信した属性情報に基づいて、前記コンテンツ受信手段で受信した前記データ放送コンテンツの表示形式を整形するコンテンツ整形手段、
このコンテンツ整形手段で表示形式が整形されたデータ放送コンテンツの内部に、前記外部情報を埋め込むコンテンツ合成手段、
前記コンテンツ合成手段で合成された合成コンテンツを表示画面に表示させる画面表示手段として機能させることを特徴とするデータ放送コンテンツ及び外部情報受信プログラム。
【発明の詳細な説明】
【技術分野】
【０００１】
本発明は、デジタル放送のデータ放送システムに用いられるコンテンツ提供サーバ、外部情報提供サーバ、連携サーバ、受信端末、コンテンツ提供プログラム、外部情報提供プログラム、認証連携プログラム、コンテンツ合成表示プログラム及びデータ放送システムに関する。
【背景技術】
【０００２】
デジタル放送では、データ放送コンテンツを視聴することが可能である。データ放送コンテンツは、ＢＭＬ（Broadcast Markup Language）言語で記述され、デジタル放送対応の受信端末に搭載されているＢＭＬブラウザで閲覧することができる。特に、通信機能を有する受信端末では、通信回線を経由してリッチなコンテンツを取得できるほか、インタラクティブなサービスを利用して所望の情報にアクセスし、受信端末画面上に表示することができる。
【０００３】
近年、このような特徴を活かして、データ放送サービスをさらに拡充することが試みられている。その一つとして、放送局が持つ情報のみならず、例えば、放送番組に関連するお店の詳細情報を受信端末上で表示する等、外部の情報も併せて扱うための手法が種々開発されている（特許文献１から特許文献３参照）。
例えば、外部通信サーバに遷移する手法がある。近年では、ＷＷＷ（World Wide Web）ブラウザを搭載した受信機も市場に出回り、外部通信サーバにある既存のウェブコンテンツにアクセスするように構成することで外部の情報を取得することが可能である（２次リンク）。
【０００４】
また例えば、外部通信サーバから放送局のサーバに情報を配信し、放送局側で、外部通信サーバからの取得情報と、ＢＭＬコンテンツとを合成してユーザに提供する手法がある。この手法によれば、放送局が情報を管理して提供することで、外部所有の情報を放送番組と同画面で表示することが可能となる。
【０００５】
また、近年、電子政府の実現により、ウェブサイト等を通じて行政サービスを利用することが可能となった。これによれば、ユーザは、自宅にいながら行政サービスを享受することができるため、外出が困難な高齢者等にとって利便性が高いといえる。しかし、パソコンの操作に不慣れな高齢者等は、電子政府の利用方法がわからず、電子政府による行政サービスを利用することが困難であるという不都合があった。そこで、外部情報である行政サービスをデータ放送で扱うことに強い期待が寄せられている（非特許文献１参照）。
【先行技術文献】
【特許文献】
【０００６】
【特許文献１】特開２００１−１３６１３６号公報
【特許文献２】特開２００５−１２４１６３号広報
【特許文献３】特開２００７−３３６２６４号広報
【非特許文献】
【０００７】
【非特許文献１】「地上デジタル放送を活用した行政サービス提供に関する実証実験推進協議会報告書」［ｏｎｌｉｎｅ］、［平成２１年１月１３日検索］、インターネット（ HYPERLINK "http://www.soumu.go.jp/s-news/2004/040519#1#1.html#1" http://www.soumu.go.jp/s-news/2004/040519#1#1.html#1）
【発明の概要】
【発明が解決しようとする課題】
【０００８】
ここで、例えば行政サービスのような、個人の年金情報や戸籍情報等の秘匿性の高い情報が含まれるものをデータ放送で扱う場合、プライバシー保護が重要な課題となる。
しかしながら、前記したような放送局を経由して外部情報をユーザに提供する手法では、例えば行政サービスのような秘匿性の高い情報を扱う場合、セキュアな個人情報を、放送局を経由してユーザに提供する点で、プライバシー保護が不十分となる恐れがあった。
また、外部通信サーバに遷移する手法では、プライバシー保護の問題を解決することはできるものの、特定のドメインで指定される１次リンク外に遷移した場合には、放送番組コンテンツとの関連付けが不可能となり、放送番組コンテンツの視聴を中断せざるを得ない。このため、データ放送サービスの拡充が十分に図れないという不都合があった。
【０００９】
そこで、本発明は、データ放送サービスにおいて、放送番組コンテンツの視聴を継続しながら、放送局以外の第三者機関が有する秘匿性の高い情報を受信端末に表示可能な技術を提供することを課題とする。
【課題を解決するための手段】
【００１０】
前記課題を解決するため、請求項１に記載のコンテンツ提供サーバは、第１識別情報記憶手段と、コンテンツ記憶手段と、コンテンツ要求受信手段と、第１属性情報要求送信手段と、第２属性情報受信手段と、コンテンツ整形手段と、コンテンツ送信手段とを備える構成とした。
【００１１】
かかる構成において、コンテンツ提供サーバは、第１識別情報記憶手段によって、ユーザごとに当該ユーザを識別するための第１識別情報と連携用の識別情報である第１連携識別情報とを対応付けて記憶する。また、コンテンツ記憶手段は、データ放送コンテンツを記憶する。
また、コンテンツ提供サーバは、コンテンツ要求受信手段によって、受信端末から、第１識別情報と外部情報を特定する要求サービス種別とを含んだコンテンツ要求を受信する。
また、コンテンツ提供サーバは、第１属性情報要求送信手段によって、コンテンツ要求に含まれている要求サービス種別と第１識別情報記憶手段において第１識別情報に対応付けられている第１連携識別情報とを、外部情報の属性を示す属性情報を要求する第１属性情報要求として、連携サーバに送信する。ここで、属性情報とは、例えば、外部情報の情報量や情報種別等の秘匿性を持たない情報であり、かつ、コンテンツ整形を決定付ける要素をいう。
そして、コンテンツ提供サーバは、第２属性情報受信手段によって、連携サーバから、当該連携サーバが第１連携識別情報に対応付けられている第２連携識別情報によって外部情報提供サーバから取得した属性情報を受信する。
また、コンテンツ提供サーバは、コンテンツ整形手段によって、第２属性情報受信手段で受信した属性情報に基づいて、コンテンツ記憶手段に記憶されているデータ放送コンテンツの表示形式を整形する。つまり、コンテンツ整形手段は、属性情報に基づいて、放送番組コンテンツと外部情報とを同一画面上で表示可能な表示形式に整形するため、受信端末において、放送番組コンテンツの視聴を継続しながら外部情報を表示することが可能となる。
さらに、コンテンツ提供サーバは、コンテンツ送信手段によって、コンテンツ整形手段で表示形式が整形されたデータ放送コンテンツを、第１識別情報記憶手段において第１連携識別情報と対応付けられている第１識別情報に対応する受信端末に送信する。これによって、外部情報提供サーバから取得する秘匿情報がユーザによって異なる場合であっても、ユーザの取得データの情報量または情報種別に応じたテンプレートを、放送局からユーザに提供することができる。
【００１２】
請求項２に記載のコンテンツ提供サーバは、第１識別情報記憶手段と、コンテンツ記憶手段と、コンテンツ要求受信手段と、第１属性情報要求送信手段と、第２属性情報受信手段と、第３属性情報送信手段と、コンテンツ送信手段と、を備える構成とした。
【００１３】
かかる構成において、第１識別情報記憶手段は、前記ユーザごとに当該ユーザを識別するための前記第１識別情報と連携用の識別情報である前記第１連携識別情報とを対応付けて記憶する。また、コンテンツ記憶手段は、データ放送コンテンツを記憶する。
また、コンテンツ提供サーバは、コンテンツ要求受信手段によって、前記受信端末から、前記第１識別情報と前記外部情報を特定する要求サービス種別とを含んだコンテンツ要求を受信する。
さらに、コンテンツ提供サーバは、第１属性情報要求送信手段によって、前記コンテンツ要求に含まれている前記要求サービス種別と、前記第１識別情報記憶手段において前記第１識別情報に対応付けられている前記第１連携識別情報とを、前記外部情報の属性を示す属性情報を要求する第１属性情報要求として、前記連携サーバに送信する。
さらに加えて、コンテンツ提供サーバは、第２属性情報受信手段によって、前記連携サーバから、当該連携サーバが前記第１連携識別情報に対応付けられている前記第２連携識別情報によって前記外部情報提供サーバから取得した前記属性情報を受信する。このように、コンテンツ提供サーバでは、外部情報そのものではなく、外部情報の属性情報のみを扱うため、ユーザのプライバシー保護を担保することができる。
コンテンツ提供サーバは、第３属性情報送信手段によって、第２属性情報受信手段で受信した前記属性情報を前記受信端末に送信する。
そして、コンテンツ提供サーバは、コンテンツ送信手段によって、前記コンテンツ記憶手段から読み出したデータ放送コンテンツを、前記第１識別情報記憶手段において前記第１連携識別情報と対応付けられている第１識別情報に対応する前記受信端末に送信する。
【００１４】
請求項３に記載の外部情報提供サーバは、第２識別情報記憶手段と、外部情報記憶手段と、外部情報要求受信手段と、外部情報送信手段と、第２属性情報要求受信手段と、第１属性情報送信手段とを備える構成とした。
【００１５】
かかる構成において、外部情報提供サーバは、第２識別情報記憶手段によって、ユーザごとに当該ユーザを識別するための第２識別情報と連携用の識別情報である第２連携識別情報とを対応付けて記憶する。
また、外部情報提供サーバは、外部情報記憶手段によって、外部情報と当該外部情報の属性を示す属性情報とを対応付けて記憶する。
さらに、外部情報提供サーバは、外部情報要求受信手段によって、受信端末から、第２識別情報と外部情報を特定する要求サービス種別とを含んだ外部情報要求を受信する。
さらに加えて、外部情報提供サーバは、外部情報送信手段によって、要求サービス種別で特定される外部情報を、外部情報記憶手段から読み出して、外部情報要求の送信元の受信端末に送信する。このように、外部情報提供サーバは、受信端末からの外部情報の要求に応じて、外部情報を直接、受信端末に提供するため、外部情報の秘匿性を確保することができる。
さらに加えて、外部情報提供サーバは、第２属性情報要求受信手段によって、連携サーバから、第２連携識別情報を含んだ属性情報を要求する第２属性情報要求を受信する。
そして、外部情報提供サーバは、第１属性情報送信手段によって、外部情報の属性を示す属性情報を外部情報記憶手段から読み出して、前記第２属性情報要求の送信元の連携サーバに送信する。このように、外部情報提供サーバは、受信端末以外には外部情報そのものを送信せず、外部情報の属性情報のみを送信する構成としたことにより、外部情報の秘匿性を確保することができる。
【００１６】
請求項４に記載の連携サーバは、連携識別情報記憶手段と、第１属性情報要求受信手段と、第２属性情報要求送信手段と、第１属性情報受信手段と、第２属性情報送信手段と、を備える構成とした。
【００１７】
かかる構成によれば、連携サーバは、連携識別情報記憶手段によって、第１連携識別情報と第２連携識別情報とを予め対応付けて記憶する。つまり、連携サーバでは、本来の認証で必要とされる、放送局用の第１識別情報と、外部情報提供サーバ用の第２識別情報とを紐付けるものではなく、連携サービス用に提示された第１連携識別情報と、第２連携識別情報とを紐付ける。
また、連携サーバは、第１属性情報要求受信手段によって、コンテンツ提供サーバから、外部情報を特定する要求サービス種別と第１連携識別情報とを含んだ外部情報の属性を示す属性情報を要求する第１属性情報要求を受信する。
さらに、連携サーバは、第２属性情報要求送信手段によって、この第１属性情報要求受信手段で受信した第１属性情報要求に含まれている第１連携識別情報を、連携識別情報記憶手段において第１連携識別情報に対応付けられている第２連携用識別情報に置き換えて、第２属性情報要求として、外部情報提供サーバに送信する。
さらに加えて、連携サーバは、第１属性情報受信手段によって、外部情報提供サーバから、要求サービス種別で特定される外部情報に対応する属性情報を受信する。
そして、連携サーバは、第２属性情報送信手段によって、第１属性情報受信手段で受信した属性情報を、連携識別情報記憶手段において第２連携識別情報に対応付けられている第１連携識別情報に対応するコンテンツ提供サーバに送信する。
連携サーバをこのように構成したことにより、コンテンツ提供サーバに対しユーザから外部情報のアクセス要求があった場合に、コンテンツサーバで行った個人認証の認証結果及びユーザの要求内容を、外部情報提供サーバに継承することが可能となる。
【００１８】
また、請求項５に記載の受信端末は、コンテンツ要求送信手段と、コンテンツ受信手段と、外部情報要求送信手段と、外部情報受信手段と、コンテンツ合成手段と、画面表示手段と、を備える構成とした。
【００１９】
かかる構成によれば、受信端末は、コンテンツ要求送信手段によって、第１識別情報と外部情報を特定する要求サービス種別とを含んだコンテンツ要求をコンテンツ提供サーバに送信する。また、受信端末は、コンテンツ受信手段によって、コンテンツ提供サーバから、表示形式が整形されたデータ放送コンテンツを受信する。
さらに、受信端末は、外部情報要求送信手段によって、第２識別情報と要求サービス種別とを含んだ外部情報要求を外部情報提供サーバに送信する。
さらに加えて、受信端末は、外部情報受信手段によって、外部情報提供サーバから、外部情報を受信する。これによって、受信端末は、秘匿情報である外部情報そのものを、直接、外部情報提供サーバから受信する。
さらに加えて、受信端末は、コンテンツ合成手段によって、表示形式に従って、データ放送コンテンツの内部に外部情報を埋め込む。
そして、受信端末は、画面表示手段によって、コンテンツ合成手段で前記外部情報が埋め込まれた前記データ放送コンテンツを表示画面に表示させる。これによって、データ放送コンテンツと外部情報とを同時に表示させることが可能となる。
【００２０】
また、請求項６に記載の受信端末は、コンテンツ要求送信手段と、コンテンツ受信手段と、外部情報要求送信手段と、外部情報受信手段と、第３属性情報受信手段と、コンテンツ整形手段と、コンテンツ合成手段と、画面表示手段と、を備える構成とした。
【００２１】
かかる構成によれば、受信端末は、コンテンツ要求送信手段によって、前記第１識別情報と前記外部情報を特定する要求サービス種別とを含んだコンテンツ要求を前記コンテンツ提供サーバに送信する。
また、受信端末は、コンテンツ受信手段によって、前記コンテンツ提供サーバから、前記データ放送コンテンツを受信する。
さらに、受信端末は、外部情報要求送信手段によって、前記第２識別情報と前記要求サービス種別とを含んだ外部情報要求を前記外部情報提供サーバに送信する。
さらに加えて、受信端末は、外部情報受信手段によって、前記外部情報提供サーバから、前記外部情報を受信する。
さらに加えて、受信端末は、第３属性情報受信手段によって、前記コンテンツ提供サーバから前記属性情報を受信する。
さらに加えて、受信端末は、コンテンツ整形手段によって、第３属性情報受信手段で受信した属性情報に基づいて、前記コンテンツ受信手段で受信した前記データ放送コンテンツの表示形式を整形する。つまり、受信端末は、属性情報に基づいて、データ放送コンテンツを、放送番組と外部情報とを同一画面上で表示可能な表示形式に整形する。
さらに加えて、受信端末は、コンテンツ合成手段によって、コンテンツ整形手段で表示形式が整形されたデータ放送コンテンツの内部に、前記外部情報を埋め込む。これによって、データ放送コンテンツと外部情報とを同時に表示することが可能となる。
そして、受信端末は、画面表示手段によって、前記コンテンツ合成手段で前記外部情報が埋め込まれた前記データ放送コンテンツを表示画面に表示させる。このようにして、受信端末において、放送番組の視聴を継続しながら外部情報を表示することが可能となる。
【００２２】
また、請求項７に記載のデータ放送システムは、コンテンツ提供サーバと、外部情報提供サーバと、連携サーバと、受信端末とを備えて構成される。
データ放送システムにおいて、コンテンツ提供サーバは、第１識別情報記憶手段と、コンテンツ記憶手段と、コンテンツ要求受信手段と、第１属性情報要求送信手段と、第２属性情報受信手段と、コンテンツ整形手段と、コンテンツ送信手段と、を備えて構成される。
【００２３】
コンテンツ提供サーバは、第１識別情報記憶手段によって、ユーザごとに当該ユーザを識別するための第１識別情報と連携用の識別情報である第１連携識別情報とを対応付けて記憶する。
また、コンテンツ提供サーバは、コンテンツ記憶手段によって、前記データ放送コンテンツを記憶する。
さらに、コンテンツ提供サーバは、コンテンツ要求受信手段によって、前記受信端末から、前記第１識別情報と前記外部情報を特定する要求サービス種別とを含んだコンテンツ要求を受信する。
またさらに、コンテンツ提供サーバは、第１属性情報要求送信手段によって、前記コンテンツ要求に含まれている要求サービス種別と、前記第１識別情報記憶手段において前記第１識別情報に対応付けられている第１連携識別情報とを、前記外部情報の属性を示す属性情報を要求する第１属性情報要求として、前記連携サーバに送信する。
さらに加えて、コンテンツ提供サーバは、第２属性情報受信手段によって、前記連携サーバから、前記属性情報を受信する。
さらに加えて、コンテンツ提供サーバは、コンテンツ整形手段によって、第２属性情報受信手段で受信した属性情報に基づいて、前記データ放送コンテンツの表示形式を整形する。
そして、コンテンツ提供サーバは、コンテンツ送信手段によって、コンテンツ整形手段で整形されたデータ放送コンテンツを、前記第１識別情報記憶手段において前記第１連携識別情報と対応付けられている第１識別情報に対応する前記受信端末に送信する。
【００２４】
また、データ放送システムにおいて、外部情報提供サーバは、外部情報記憶手段と、第２識別情報記憶手段と、外部情報要求受信手段と、外部情報送信手段と、第２属性情報要求受信手段と、第１属性情報送信手段と、を備えて構成される。
【００２５】
外部情報提供サーバは、外部情報記憶手段によって、外部情報と外部情報の属性を示す属性情報とを対応付けて記憶する。
また、外部情報提供サーバは、第２識別情報記憶手段によって、前記ユーザごとに当該ユーザを識別するための第２識別情報と連携用の識別情報である第２連携識別情報とを対応付けて記憶する。
さらに、外部情報提供サーバは、外部情報要求受信手段によって、前記受信端末から、前記第２識別情報と前記要求サービス種別とを含んだ外部情報要求を受信する。
またさらに、外部情報提供サーバは、外部情報送信手段によって、前記要求サービス種別で特定される前記外部情報を、前記受信端末に送信する。
さらに加えて、外部情報提供サーバは、第２属性情報要求受信手段によって、前記連携サーバから、前記第２連携識別情報を含んだ第２属性情報要求を受信する。
そして、外部情報提供サーバは、第１属性情報送信手段によって、前記外部情報の属性を示す前記属性情報を、前記外部情報記憶手段から読み出して、前記第２属性情報要求の送信元の連携サーバに送信する。
【００２６】
さらに、データ放送システムにおいて、連携サーバは、連携識別情報記憶手段と、第１属性情報要求受信手段と、第２属性情報要求送信手段と、第１属性情報受信手段と、第２属性情報送信手段とを備えて構成される。
【００２７】
連携サーバは、連携識別情報記憶手段によって、前記第１連携識別情報と前記第２連携識別情報とを予め対応付けて記憶する。
また、連携サーバは、第１属性情報要求受信手段によって、前記コンテンツ提供サーバから、前記外部情報を特定する要求サービス種別と前記第１連携識別情報とを含んだ前記外部情報の属性を示す属性情報とを要求する第１属性情報要求を受信する。
さらに、連携サーバは、第２属性情報要求送信手段によって、第１属性情報要求受信手段で受信した第１属性情報要求に含まれている第１連携識別情報を、前記連携識別情報記憶手段において前記第１連携識別情報に対応付けられている第２連携用識別情報に置き換えて、前記第２属性情報要求として、前記外部情報提供サーバに送信する。
さらに加えて、連携サーバは、第１属性情報受信手段によって、前記外部情報提供サーバから、前記属性情報を受信する。
そして、連携サーバは、第２属性情報送信手段によって、この第１属性情報受信手段で受信した属性情報を、前記連携情報記憶手段において前記第２連携識別情報に対応付けられている第１連携識別情報に対応する前記コンテンツ提供サーバに送信する。
【００２８】
そして、データ放送システムにおいて、受信端末は、コンテンツ要求送信手段と、コンテンツ受信手段と、外部情報要求送信手段と、外部情報受信手段と、コンテンツ合成手段と、画面表示手段とを備えて構成される。
【００２９】
受信端末は、コンテンツ要求送信手段によって、前記第１識別情報と前記外部情報を特定する要求サービス種別とを含んだコンテンツ要求を前記コンテンツ提供サーバに送信する。
コンテンツ受信手段は、前記コンテンツ提供サーバから、表示形式が整形された前記データ放送コンテンツを受信する。
また、受信端末は、外部情報要求送信手段によって、前記第２識別情報と前記要求サービス種別とを含んだ外部情報要求を前記外部情報提供サーバに送信する。
さらに、受信端末は、外部情報受信手段によって、前記外部情報提供サーバから、前記外部情報を受信する。
さらに加えて、受信端末は、コンテンツ合成手段によって、予め決定された表示形式に従って、前記データ放送コンテンツの内部に前記外部情報を埋め込む。
さらに加えて、受信端末は、画面表示手段によって、前記コンテンツ合成手段で前記外部情報が埋め込まれた前記データ放送コンテンツを表示画面に表示させる。
【００３０】
また、請求項８に記載のデータ放送システムは、コンテンツ提供サーバと、外部情報提供サーバと、連携サーバと、受信端末とを備えて構成される。
【００３１】
データ放送システムにおいて、コンテンツ提供サーバは、第１識別情報記憶手段と、コンテンツ記憶手段と、コンテンツ要求受信手段と、第１属性情報要求送信手段と、第２属性情報受信手段と、第３属性情報送信手段と、コンテンツ送信手段と、を備えて構成される。
【００３２】
コンテンツ提供サーバは、第１識別情報記憶手段によって、前記ユーザごとに当該ユーザを識別するための前記第１識別情報と連携用の識別情報である前記第１連携識別情報とを対応付けて記憶する。
また、コンテンツ提供サーバは、コンテンツ記憶手段によって、前記データ放送コンテンツを記憶する。
さらに、コンテンツ提供サーバは、コンテンツ要求受信手段によって、前記受信端末から、前記第１識別情報と前記外部情報を特定する要求サービス種別とを含んだコンテンツ要求を受信する。
さらに加えて、コンテンツ提供サーバは、第１属性情報要求送信手段によって、前記コンテンツ要求に含まれている前記要求サービス種別と、前記第１識別情報記憶手段において前記第１識別情報に対応付けられている前記第１連携識別情報とを、前記外部情報の属性を示す属性情報を要求する第１属性情報要求として、前記連携サーバに送信する。
さらに加えて、コンテンツ提供サーバは、第２属性情報受信手段によって、前記連携サーバから、当該連携サーバが前記第１連携識別情報に対応付けられている前記第２連携識別情報によって前記外部情報提供サーバから取得した前記属性情報を受信する。
さらに加えて、コンテンツ提供サーバは、第３属性情報送信手段によって、第２属性情報受信手段で受信した前記属性情報を前記受信端末に送信する。
そして、コンテンツ提供サーバは、コンテンツ送信手段によって、前記コンテンツ記憶手段から読み出したデータ放送コンテンツを、前記第１識別情報記憶手段において前記第１連携識別情報と対応付けられている第１識別情報に対応する前記受信端末に送信する。
【００３３】
また、データ放送システムにおいて、外部情報提供サーバは、第２識別情報記憶手段と、外部情報記憶手段と、外部情報要求受信手段と、外部情報送信手段と、第２属性情報要求受信手段と、第１属性情報送信手段と、を備えて構成される。
【００３４】
外部情報提供サーバは、第２識別情報記憶手段によって、前記ユーザごとに当該ユーザを識別するための前記第２識別情報と連携用の識別情報である前記第２連携識別情報とを対応付けて記憶する。
また、外部情報提供サーバは、外部情報記憶手段によって、前記外部情報と当該外部情報の属性を示す属性情報とを対応付けて記憶する。
さらに、外部情報提供サーバは、外部情報要求受信手段によって、前記受信端末から、前記第２識別情報と前記要求サービス種別とを含んだ外部情報要求を受信する。
さらに加えて、外部情報提供サーバは、外部情報送信手段によって、前記要求サービス種別で特定される前記外部情報を、前記外部情報記憶手段から読み出して、前記受信端末に送信する。
さらに加えて、外部情報提供サーバは、第２属性情報要求受信手段によって、前記連携サーバから、前記第２連携識別情報を含んだ前記属性情報を要求する第２属性情報要求を受信する。
そして、外部情報提供サーバは、第１属性情報送信手段によって、前記外部情報の属性を示す前記属性情報を、前記外部情報記憶手段から読み出して、前記第２属性情報要求の送信元の連携サーバに送信する。
【００３５】
さらに、データ放送システムにおいて、連携サーバは、連携識別情報記憶手段と、第１属性情報要求受信手段と、第２属性情報要求送信手段と、第１属性情報受信手段と、第２属性情報送信手段と、を備える。
【００３６】
連携サーバは、連携識別情報記憶手段によって、前記第１連携識別情報と前記第２連携識別情報とを予め対応付けて記憶する。
また、連携サーバは、第１属性情報要求受信手段によって、前記コンテンツ提供サーバから、前記外部情報を特定する要求サービス種別と前記第１連携識別情報とを含んだ前記外部情報の属性を示す属性情報を要求する第１属性情報要求を受信する。
さらに、連携サーバは、第２属性情報要求送信手段によって、第１属性情報要求受信手段で受信した第１属性情報要求に含まれている第１連携識別情報を、前記連携識別情報記憶手段において前記第１連携識別情報に対応付けられている第２連携用識別情報に置き換えて、前記第２属性情報要求として、前記外部情報提供サーバに送信する。
またさらに、連携サーバは、第１属性情報受信手段によって、前記外部情報提供サーバから、前記要求サービス種別で特定される外部情報に対応する前記属性情報を受信する。
そして、連携サーバは、第２属性情報送信手段によって、第１属性情報受信手段で受信した属性情報を、前記連携情報記憶手段において前記第２連携識別情報に対応付けられている第１連携識別情報に対応する前記コンテンツ提供サーバに送信する。
【００３７】
そして、データ放送システムにおいて、受信端末は、コンテンツ要求送信手段と、コンテンツ受信手段と、外部情報要求送信手段と、外部情報受信手段と、第３属性情報受信手段と、コンテンツ整形手段と、コンテンツ合成手段と、画面表示手段とを備えて構成される。
【００３８】
受信端末は、コンテンツ要求送信手段によって、前記第１識別情報と前記外部情報を特定する要求サービス種別とを含んだコンテンツ要求を前記コンテンツ提供サーバに送信する。
また、受信端末は、コンテンツ受信手段によって、前記コンテンツ提供サーバから、前記データ放送コンテンツを受信する。
さらに、受信端末は、外部情報要求送信手段によって、前記第２識別情報と前記要求サービス種別とを含んだ外部情報要求を前記外部情報提供サーバに送信する。
さらに加えて、受信端末は、外部情報受信手段によって、前記外部情報提供サーバから、前記外部情報を受信する。
さらに加えて、受信端末は、第３属性情報受信手段によって、前記コンテンツ提供サーバから前記属性情報を受信する。
さらに加えて、受信端末は、コンテンツ整形手段によって、第３属性情報受信手段で受信した属性情報に基づいて、前記コンテンツ受信手段で受信した前記データ放送コンテンツの表示形式を整形する。
さらに加えて、受信端末は、コンテンツ合成手段によって、コンテンツ整形手段で表示形式が整形されたデータ放送コンテンツの内部に、前記外部情報を埋め込む。
そして、受信端末は、画面表示手段によって、前記コンテンツ合成手段で前記外部情報が埋め込まれた前記データ放送コンテンツを表示画面に表示させる。
【００３９】
また、請求項９に記載のコンテンツ提供プログラムは、データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、前記データ放送コンテンツを提供するために、コンピュータを、コンテンツ要求受信手段、第１属性情報要求送信手段、第２属性情報受信手段、コンテンツ整形手段、コンテンツ送信手段として機能させることを特徴とする。
【００４０】
コンテンツ要求受信手段は、前記受信端末から、前記第１識別情報と前記外部情報を特定する要求サービス種別とを含んだコンテンツ要求を受信する。
第１属性情報要求送信手段は、前記コンテンツ要求に含まれている前記要求サービス種別と、前記ユーザごとに当該ユーザを識別するための前記第１識別情報と連携用の識別情報である前記第１連携識別情報とを対応付けて記憶する前記第１識別情報記憶手段において前記第１識別情報に対応付けられている前記第１連携識別情報とを、前記外部情報の属性を示す属性情報を要求する第１属性情報要求として、前記連携サーバに送信する。
第２属性情報受信手段は、前記連携サーバから、当該連携サーバが前記第１連携識別情報に対応付けられている前記第２連携識別情報によって前記外部情報提供サーバから取得した前記属性情報を受信する。
コンテンツ整形手段は、第２属性情報受信手段で受信した属性情報に基づいて、コンテンツ記憶手段に記憶されているデータ放送コンテンツの表示形式を整形する。
コンテンツ送信手段は、コンテンツ整形手段で表示形式が整形されたデータ放送コンテンツを、前記第１識別情報記憶手段において前記第１連携識別情報と対応付けられている第１識別情報に対応する前記受信端末に送信する。
【００４１】
また、請求項１０に記載のコンテンツ提供プログラムは、データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、前記データ放送コンテンツを提供するために、コンピュータを、コンテンツ要求受信手段、第１属性情報要求送信手段、第２属性情報受信手段、第３属性情報送信手段、コンテンツ送信手段として機能させることを特徴とする。
【００４２】
コンテンツ要求受信手段は、前記受信端末から、前記第１識別情報と前記外部情報を特定する要求サービス種別とを含んだコンテンツ要求を受信する。
第１属性情報要求送信手段は、前記コンテンツ要求に含まれている前記要求サービス種別と、前記ユーザごとに当該ユーザを識別するための前記第１識別情報と連携用の識別情報である前記第１連携識別情報とを対応付けて記憶する第１識別情報記憶手段において前記第１識別情報に対応付けられている前記第１連携識別情報とを、前記外部情報の属性を示す属性情報を要求する第１属性情報要求として、前記連携サーバに送信する。
第２属性情報受信手段は、前記連携サーバから、当該連携サーバが前記第１連携識別情報に対応付けられている前記第２連携識別情報によって前記外部情報提供サーバから取得した前記属性情報を受信する。
第３属性情報送信手段は、第２属性情報受信手段で受信した前記属性情報を前記受信端末に送信する。
コンテンツ送信手段は、前記データ放送コンテンツを記憶するコンテンツ記憶手段から読み出したデータ放送コンテンツを、前記第１識別情報記憶手段において前記第１連携識別情報と対応付けられている第１識別情報に対応する前記受信端末に送信する。
【００４３】
また、請求項１１に記載の外部情報提供プログラムは、データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、前記外部情報を提供するために、コンピュータを、外部情報要求受信手段、外部情報送信手段、第２属性情報要求受信手段、第１属性情報送信手段として機能させることを特徴とする。
【００４４】
外部情報要求受信手段は、前記受信端末から、前記第２識別情報と前記要求サービス種別とを含んだ外部情報要求を受信する。
外部情報送信手段は、前記要求サービス種別で特定される前記外部情報を、前記外部情報と当該外部情報の属性を示す属性情報とを対応付けて記憶する外部情報記憶手段から読み出して、第２識別情報に対応する前記受信端末に送信する。
第２属性情報要求受信手段は、前記連携サーバから、前記第２連携識別情報を含んだ前記属性情報を要求する第２属性情報要求を受信する。
第１属性情報送信手段は、前記外部情報の属性を示す前記属性情報を、前記外部情報記憶手段から読み出して、前記連携サーバに送信する。
【００４５】
また、請求項１２に記載の認証連携プログラムは、データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、前記データ放送コンテンツを利用するユーザと前記外部情報を利用するユーザとを連携させるために、コンピュータを、第１属性情報要求受信手段、第２属性情報要求送信手段、第１属性情報受信手段、第２属性情報送信手段として機能させることを特徴とする。
【００４６】
第１属性情報要求受信手段は、前記コンテンツ提供サーバから、前記外部情報を特定する要求サービス種別と前記第１連携識別情報とを含んだ前記外部情報の属性を示す属性情報を要求する第１属性情報要求を受信する。
第２属性情報要求送信手段は、第１属性情報要求受信手段で受信した第１属性情報要求に含まれている第１連携識別情報を、前記第１連携識別情報と前記第２連携識別情報とを予め対応付けて記憶する連携識別情報記憶手段において前記第１連携識別情報に対応付けられている第２連携用識別情報に置き換えて、前記第２属性情報要求として、前記外部情報提供サーバに送信する。
第１属性情報受信手段は、前記外部情報提供サーバから、前記要求サービス種別で特定される外部情報に対応する前記属性情報を受信する。
第２属性情報送信手段は、第１属性情報受信手段で受信した属性情報を、前記連携情報記憶手段において前記第２連携識別情報に対応付けられている第１連携識別情報に対応する前記コンテンツ提供サーバに送信する。
【００４７】
また、請求項１３に記載のコンテンツ合成表示プログラムは、データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、データ放送コンテンツと外部情報とを合成して表示させるために、コンピュータを、コンテンツ要求送信手段、コンテンツ受信手段、外部情報要求送信手段、外部情報受信手段、コンテンツ合成手段、画面表示手段として機能させることを特徴とする。
【００４８】
コンテンツ要求送信手段は、前記第１識別情報と前記外部情報を特定する要求サービス種別とを含んだコンテンツ要求を前記コンテンツ提供サーバに送信する。
コンテンツ受信手段は、前記コンテンツ提供サーバから、表示形式が整形された前記データ放送コンテンツを受信する。
外部情報要求送信手段は、前記第２識別情報と前記要求サービス種別とを含んだ外部情報要求を前記外部情報提供サーバに送信する。
外部情報受信手段は、前記外部情報提供サーバから、前記外部情報を受信する。
コンテンツ合成手段は、前記表示形式に従って、前記データ放送コンテンツの内部に前記外部情報を埋め込む。
画面表示手段は、前記コンテンツ合成手段で前記外部情報が埋め込まれた前記データ放送コンテンツを表示画面に表示させる。
【００４９】
また、請求項１４に記載のコンテンツ合成表示プログラムは、データ放送コンテンツを利用するユーザを識別する第１識別情報と当該ユーザの他の識別情報である第１連携識別情報とを対応付けて、前記データ放送コンテンツを提供するコンテンツ提供サーバと、前記データ放送コンテンツの内部に埋め込む外部情報を利用するユーザを識別する第２識別情報と当該ユーザの他の識別情報である第２連携識別情報とを対応付けて、前記外部情報を提供する外部情報提供サーバと、前記データ放送コンテンツを利用するユーザと前記外部情報を利用するユーザとを予め前記第１連携識別情報と前記第２連携識別情報とで対応付けて連携させる連携サーバとを、ネットワークを介して接続し、受信端末に、前記データ放送コンテンツと前記外部情報とを連携させて提供するデータ放送システムにおいて、データ放送コンテンツと外部情報とを合成して表示させるために、コンピュータを、コンテンツ要求送信手段、コンテンツ受信手段、外部情報要求送信手段、外部情報受信手段、第３属性情報受信手段、コンテンツ整形手段、コンテンツ合成手段、画面表示手段として機能させることを特徴とする。
【００５０】
コンテンツ要求送信手段は、前記第１識別情報と前記外部情報を特定する要求サービス種別とを含んだコンテンツ要求を前記コンテンツ提供サーバに送信する。
コンテンツ受信手段は、前記コンテンツ提供サーバから、前記データ放送コンテンツを受信する。
外部情報要求送信手段は、前記第２識別情報と前記要求サービス種別とを含んだ外部情報要求を前記外部情報提供サーバに送信する。
外部情報受信手段は、前記外部情報提供サーバから、前記外部情報を受信する。
第３属性情報受信手段は、前記コンテンツ提供サーバから前記属性情報を受信する。
コンテンツ整形手段は、第３属性情報受信手段で受信した属性情報に基づいて、前記コンテンツ受信手段で受信した前記データ放送コンテンツの表示形式を整形する。
コンテンツ合成手段は、コンテンツ整形手段で表示形式が整形されたデータ放送コンテンツの内部に、前記外部情報を埋め込む。
画面表示手段は、前記コンテンツ合成手段で前記外部情報が埋め込まれた前記データ放送コンテンツを表示画面に表示させる。
【発明の効果】
【００５１】
請求項１及び請求項９に記載の発明によれば、放送局は、外部情報を取得せずに、外部情報の属性情報のみを取得し、属性情報に適したテンプレートをユーザに提供するため、外部情報の秘匿性を確保しつつ、放送局のデータ放送サービス上で、外部情報をユーザに提示することができる。これにより、データ放送サービスの拡充を図ることが可能となる。
請求項２及び請求項１０に記載の発明によれば、放送局は、外部情報を取得せずに、外部情報の属性情報のみを取得してユーザに提供するため、外部情報の秘匿性を確保しつつ、データ放送サービスの拡充を図ることが可能となる。
請求項３及び請求項１１に記載の発明によれば、放送局に対しては、外部情報の属性情報のみを送信し、外部情報そのものはユーザに直接送信するため、外部情報の秘匿性を確保することが可能となる。
請求項４及び請求項１２に記載の発明によれば、外部情報の秘匿性を確保しつつ、外部機関と放送局とを連携させることが可能となる。
請求項５、６及び請求項１３、１４に記載の発明によれば、ユーザは、放送波もしくは通信回線経由で取得した放送番組コンテンツの視聴を中断することなく、コンテンツ提供サーバから受信したデータ放送コンテンツと、外部情報提供サーバから直接受信した外部情報とを同時に閲覧することが可能となる。
請求項７及び請求項８に記載の発明によれば、ユーザは、放送波もしくは通信回線経由で取得した放送番組コンテンツの視聴を中断することなく、コンテンツ提供サーバから受信したデータ放送コンテンツと、外部情報提供サーバから直接受信した外部情報とを同時に閲覧することが可能となる。さらに、放送局には、外部情報提供サーバから外部情報の属性情報のみが送信され、外部情報そのものは、放送局を経由することなく、外部情報提供サーバから受信端末に直接送信されるため、外部情報の秘匿性が確保される。このため、秘匿性の高い情報を扱う外部機関と放送局とが連携してサービスを提供することができる。つまり、連携サーバでは、本来の認証で必要とされる、放送局用の第１識別情報と、外部情報提供サーバ用の第２識別情報とを紐付けるものではなく、連携サービス用に提示された第１連携識別情報と、第２連携識別情報とを紐付けることとし、連携識別情報を用いて放送局と外部情報提供サーバを連携させる構成としたことにより、放送局は、データ放送の画面表示に直接影響を及ぼすような属性情報にのみアクセス可能であり、外部情報そのものにはアクセスできない。これにより、外部情報の秘匿性を確保しつつ、かつ、放送局が１次リンクのデータ放送サービスにおいて適切な情報提示を行うことが可能となる。さらに、個人の外部情報に適したレイアウトでコンテンツを閲覧することが可能となり、視認性、操作性の優れた画面提示を行うことができる。
【図面の簡単な説明】
【００５２】
【図１】本発明のデータ放送システムの全体構成を示す図である。
【図２】本発明の第１実施形態に係るデータ放送システムを構成する各装置の構成要素を説明するための図である。
【図３】本発明の第１実施形態に係るデータ放送システムの外部情報提供サーバにおける、外部情報記憶手段のデータ構造の一例を示す図である。
【図４】本発明の第１実施形態に係るデータ放送システムの連携サーバにおける、連携識別情報記憶手段のデータ構造の一例を示す図である。
【図５】本発明の第１実施形態に係るデータ放送システムを構成する受信端末と、コンテンツ提供サーバと、ユーザ連携サーバと、外部情報提供サーバ間での情報の流れを示すフローチャートである。
【図６】本発明の第１実施形態に係るデータ放送システムにより表示される、受信端末の表示画面の構成の一例を示す図である。
【図７】本発明の第１実施形態に係るデータ放送システムにより、外部情報と放送番組とを連携させて表示したデータ放送画面の一例を示す図である。
【図８】本発明の第２実施形態に係るデータ放送システムを構成する各装置の構成要素を説明するための図である。
【図９】本発明の第２実施形態に係るデータ放送システムを構成する受信端末と、コンテンツ提供サーバと、連携サーバと、外部情報提供サーバ間での情報の流れを示すフローチャートである。
【図１０】本発明の第３実施形態に係るデータ放送システムの全体構成を示す図である。
【図１１】本発明の第３実施形態に係るデータ放送システムの連携サーバにおける、連携識別情報記憶手段のデータ構造の一例を示す図である。
【図１２】本発明の第３実施形態に係るデータ放送システムを構成する受信端末と、コンテンツ提供サーバと、連携サーバと、外部情報提供サーバ間での情報の流れを示すフローチャートである。
【図１３】本発明の変形例に係るデータ放送システムの全体構成を示す図である。
【図１４】本発明の変形例に係るデータ放送システムの受信端末の構成要素を説明するための図である。
【図１５】本発明の変形例に係るデータ放送システムにおいて、受信端末により番組検索を行う際の処理の流れを示すフローチャートである。
【図１６】本発明の変形例に係るデータ放送システムにより、関連番組情報を表示したデータ放送画面の一例を示す図である。
【発明を実施するための形態】
【００５３】
［データ放送システムの概略］
図１に示すように、本実施形態（第１〜第３実施形態）に係るデータ放送システム（１１，１Ｂ，１Ｃ）は、外部情報が秘匿性の高い情報である場合に、その秘匿性を確保しつつ、データ放送で外部情報を扱うことができるようにするものである。さらに、ユーザが、放送番組コンテンツの視聴を継続しながら、放送局以外の外部機関が有する外部情報を同時に閲覧可能とするものである。
例えば、第１実施形態に係るデータ放送システム１は、コンテンツ提供サーバ１０と、外部情報提供サーバ２０と、連携サーバ３０と、受信端末４０とを備え、これらがネットワークを介して相互に接続されて構成される。
【００５４】
［第１実施形態に係るデータ放送システムの構成］
コンテンツ提供サーバ１０は、放送局の管理下に存在する１次リンクサーバである。コンテンツ提供サーバ１０は、ユーザからの通信回線経由のアクセスに応じて、受信端末４０に、蓄積しているＢＭＬコンテンツ及び関連情報を提供するものである。また、コンテンツ提供サーバ１０は、ユーザから外部情報へのアクセス要求があった場合に、個人認証を行い、認証結果及びユーザの要求内容を、連携サーバ３０を介して外部情報提供サーバ２０に継承する機能を備える。さらに、コンテンツ提供サーバ１０は、認証連携を行った外部情報提供サーバ２０から、ユーザの要求する外部情報に係る属性情報を受信し、属性情報に基づいてＢＭＬコンテンツのテンプレートを整形し、受信端末に送信する機能を備える。
【００５５】
外部情報提供サーバ２０は、ネットワーク上に存在し、外部情報を提供するサーバであり、本実施形態では、特に秘匿性の高い個人情報を主に扱うサーバをいう。なお、図１では、２つの外部情報提供サーバ２０を示しているが、数は特に限定されるものではない。
【００５６】
連携サーバ３０は、コンテンツ提供サーバ１０と外部情報提供サーバ２０との間で連携サービスを実現するための認証連携を行うものである。連携サーバ３０は、コンテンツ提供サーバ１０で認証されたユーザの識別情報から、外部情報提供サーバ２０で管理される識別情報への置き換えを行うことで、認証情報を継承するようになっている。
【００５７】
受信端末４０は、通信機能を備え、放送波を介して提供されるテレビ放送コンテンツと、放送波もしくはインターネットを介して提供されるデータ放送コンテンツと、外部情報提供サーバ２０から提供される外部情報とを受信して、これらを同時に表示可能な端末である。受信端末４０は、放送局から多重化して送信される放送波を受信して復号する機能を有する。また、受信端末４０は、ＢＭＬブラウザを備え、ＢＭＬで記述されるデータ放送コンテンツと映像音声コンテンツとを合成し、画面に表示することが可能である。
このようなデータ放送システム１によれば、放送番組コンテンツの中に外部情報を組み込んで表示させるため、データ放送の１次リンク内で、放送番組コンテンツの視聴を中断させることなく、外部情報提供サーバ２０から安全に外部情報を取得することができ、放送番組コンテンツと、外部情報とを受信端末４０上で同時に閲覧可能となる。さらに、外部情報に適したテンプレートで、外部情報を閲覧可能となる。
次に、データ放送システム１を構成する各装置の詳細な構成を説明する。
【００５８】
［コンテンツ提供サーバの構成］
図２に示すように、コンテンツ提供サーバ１０は、識別情報記憶手段１１と、コンテンツ記憶手段１２と、コンテンツ要求受信手段１３と、認証手段１４と、属性情報要求送信手段１５と、属性情報受信手段１６と、コンテンツ整形手段１７と、コンテンツ送信手段１８とを備える構成とした。
【００５９】
識別情報記憶手段１１（第１識別情報記憶手段）は、ユーザごとに、データ放送コンテンツを利用するユーザを識別するための識別情報ＩＤA（第１識別情報）と、連携サービス用の識別情報である連携識別情報ＩＤA´（第１連携識別情報）とを対応付けて記憶するものである。なおここでは、識別情報記憶手段１１に、識別情報ＩＤAに放送局の認証情報ＶAを対応付けてさらに記憶していることとする。連携識別情報ＩＤA´とは、コンテンツ提供サーバ１０と、外部情報提供サーバ２０とを連携させるために、連携サーバ３０で管理している個人識別ＩＤである。識別情報ＩＤAと、連携識別情報ＩＤA´とは、同じであっても構わないが、ＩＤA≠ＩＤA´とすると、識別情報ＩＤAを放送局外に公開せずに、連携サーバ３０で認証連携を行うことが可能となるため好ましい。また、仮のＩＤで認証連携を行うことで、アクセス制限付きの認証連携を行うことも可能となる。
【００６０】
コンテンツ記憶手段１２は、データ放送コンテンツを記憶するものである。ここで、第１実施形態では、データ放送コンテンツとして、ネットワークの配信を考慮して、主に、放送波による提供には適さない大容量コンテンツや個人特化型コンテンツを扱うこととする。
コンテンツ記憶手段１２には、テンプレートや動作を記述するＢＭＬ文書のほか、関連するテキスト情報や画像情報も記憶されており、必要に応じて、コンテンツ整形手段１７によって読み出される。
【００６１】
コンテンツ要求受信手段１３は、受信端末４０から、識別情報ＩＤAと、外部情報を特定する要求サービス種別と、放送局の認証情報ＶAとを含んだコンテンツ要求を受信するものである。コンテンツ要求受信手段１３は、受信したコンテンツ要求を、認証手段１４に出力する。
【００６２】
認証手段１４は、受信端末用の識別情報ＩＤAを連携用の連携識別情報ＩＤA´に置き換え、または、連携用の連携識別情報ＩＤA´を受信端末用の識別情報ＩＤAに置き換え、さらに、認証情報ＶAの認証を行う手段である。認証手段１４は、コンテンツ要求受信手段１３からコンテンツ要求の入力を受け付け、コンテンツ要求に含まれる識別情報ＩＤAと、認証情報ＶAとを識別情報記憶手段１１に記憶された識別情報ＩＤAまたは認証情報ＶAと照合して認証する手段である。認証手段１４は、認証が確認された場合、識別情報ＩＤAに対応する連携識別情報ＩＤA´と、外部情報を特定する要求サービス種別とを含むユーザ認証情報を、属性情報要求送信手段１５に出力する。
また、認証手段１４は、属性情報受信手段１６から連携識別情報ＩＤA´の入力を受け付け、この連携識別情報ＩＤA´をもとに識別情報記憶手段１１を検索し、連携識別情報ＩＤA´に対応する識別情報ＩＤAを読み出してコンテンツ送信手段１８に出力する。
【００６３】
属性情報要求送信手段１５（第１属性情報要求送信手段）は、認証手段１４からユーザ認証情報の入力を受け付けると、連携識別情報ＩＤA´と外部情報を特定する要求サービス種別とを、外部情報の属性を示す属性情報を要求する属性情報要求として、連携サーバ３０に送信する手段である。
【００６４】
属性情報受信手段１６（第２属性情報受信手段）は、属性情報要求送信手段１５により、連携サーバ３０に送信された属性情報要求に応じて、連携サーバ３０から送信される属性情報を受信する手段である。ここで、属性情報とは、連携サーバ３０によって、外部情報提供サーバ２０から取得される情報である。属性情報受信手段１６は、受信した属性情報及び情報格納先等の情報を、コンテンツ整形手段１７に出力する。また、属性情報受信手段１６は、受信した連携識別情報ＩＤA´を認証手段１４に出力する。
【００６５】
コンテンツ整形手段１７は、属性情報受信手段１６から属性情報の入力を受け付け、この属性情報に基づいて、コンテンツ記憶手段１２に記憶されているデータ放送コンテンツの表示形式を整形する手段である。コンテンツ整形手段１７は、放送番組と、外部情報とを同一画面上で表示可能なように、属性情報に基づいて、外部情報に適したＢＭＬコンテンツを整形する。例えば、外部情報の情報量が多いユーザに対しては、複数ページにわたって情報を閲覧できるテンプレートを提供する。このとき、コンテンツ整形手段１７を、予め用意した複数種類のＢＭＬテンプレートから適切なものを選択するように構成しても良いし、属性情報に応じて、適切なＢＭＬテンプレートを動的に生成するスクリプトを実行するように構成しても良い。
また、ＢＭＬテンプレートには、外部情報の詳細な格納場所が記載されたサービス要求関数が含まれる。
コンテンツ整形手段１７は、属性情報に基づいて整形したＢＭＬテンプレートを、コンテンツ送信手段１８に出力する。
【００６６】
コンテンツ送信手段１８は、コンテンツ整形手段１７から入力を受け付けたＢＭＬテンプレートを、受信端末４０に送信する手段である。コンテンツ送信手段１８は、ＢＭＬテンプレートを、識別情報記憶手段１１において、連携識別情報ＩＤA´と対応付けられている識別情報ＩＤAに対応する受信端末４０に送信する。
【００６７】
［外部情報提供サーバの構成］
図２に示すように、外部情報提供サーバ２０は、識別情報記憶手段２１と、外部情報記憶手段２２と、属性情報要求受信手段２３と、外部情報要求受信手段２４と、認証手段２５と、要求情報検索手段２６と、属性情報送信手段２７と、外部情報送信手段２８とを備える構成とした。
【００６８】
識別情報記憶手段２１（第２識別情報記憶手段）は、ユーザごとに、ユーザを識別するための識別情報ＩＤB（第２識別情報）と、連携用の識別情報である連携識別情報ＩＤB´（第２連携識別情報）とを対応付けて記憶するものである。識別情報記憶手段２１は、例えば、図３に示すように、外部情報を利用するユーザを識別する識別情報ＩＤBと、ユーザの個人名と、連携識別情報ＩＤB´と、外部情報ごとの情報格納先等を対応付けて記憶する。これにより、連携識別情報ＩＤB´と紐付けられる個人を特定することが可能となる。例えば図３では、個人名Ａの識別情報ＩＤBは、「０９８７３４５８７９」であり、連携識別情報ＩＤB´は、「８５６７４８５０３」であり、外部情報Ｘの情報格納先は、「ＸＸ．ＹＹ．ＺＺ１」であり、外部情報Ｙの情報格納先は、「ＹＹ．ＺＺ．ＡＡ１」である。
ここで、連携識別情報ＩＤB´とは、コンテンツ提供サーバ１０と、外部情報提供サーバ２０とを連携させるために、連携サーバ３０で管理している個人識別ＩＤである。本実施形態では、識別情報ＩＤBと、連携識別情報ＩＤB´の関係性は、同じであっても良いが、ここではＩＤB≠ＩＤB´としている。これは、外部情報が秘匿性の高い情報である場合、識別情報ＩＤBを外部情報提供サーバ２０外に公開せずに、連携サーバ３０で認証連携を行うことが望ましいためである。なおここでは、識別情報記憶手段２１に、識別情報ＩＤBに外部情報提供サーバ２０の認証情報ＶBを対応付けてさらに記憶していることとする。
【００６９】
外部情報記憶手段２２は、外部情報と、外部情報の属性を示す属性情報とを対応付けて記憶する手段である。ここでは、外部情報とは、個人の医療情報や年金情報等の秘匿性の高い個人情報を主にいうものとする。ここで、属性情報とは、外部情報そのものではなく、例えば、外部情報の情報量、情報種別、情報格納先、文字数、項目数やリンク先の有無等の情報が該当する。
【００７０】
属性情報要求受信手段２３（第２属性情報要求受信手段）は、連携サーバ３０から、属性情報要求を受信する手段である。この属性情報要求は、コンテンツ提供サーバ１０から連携サーバ３０に出力された属性情報要求から、この属性情報要求に含まれる放送局用の連携識別情報ＩＤA´が、連携サーバ３０によって、外部情報提供サーバ２０用の連携識別情報ＩＤB´に置き換えられたものとなっている。属性情報要求受信手段２３は、受信した属性情報要求を、認証手段２５に出力する。
【００７１】
外部情報要求受信手段２４は、受信端末４０から、ユーザの識別情報ＩＤBと、外部情報提供サーバ２０の認証情報ＶBとを含む外部情報要求を受信する手段である。外部情報要求受信手段２４は、受信した外部情報要求を、認証手段２５に出力する。
【００７２】
認証手段２５は、属性情報要求受信手段２３から属性情報要求の入力を受け付け、かかる属性情報要求に含まれる連携識別情報ＩＤB´に基づき、識別情報記憶手段２１に記憶された識別情報ＩＤBと照合し、連携識別情報ＩＤB´と対応付けられたユーザを認証する手段である。認証手段２５は、認証が確認された場合、属性情報要求受信手段２３から入力を受け付けた属性情報要求と連携識別情報ＩＤB´とを要求情報検索手段２６に出力する。なお、認証手段２５は、連携識別情報ＩＤB´を、要求情報検索手段２６ではなく、属性情報送信手段２７に出力しても良い。
また、認証手段２５は、外部情報要求受信手段２４から、外部情報要求の入力を受け付け、かかる外部情報要求に含まれる識別情報ＩＤBと、外部情報提供サーバ２０の認証情報ＶBとに基づき、識別情報記憶手段２１に記憶された識別情報ＩＤBまたは認証情報ＶBと照合して認証する手段である。認証手段２５は、認証が確認された場合、外部情報要求受信手段２４から入力を受け付けた外部情報要求と識別情報ＩＤBとを、要求情報検索手段２６に出力する。なお、認証手段２５は、識別情報ＩＤBを、要求情報検索手段２６ではなく、外部情報送信手段２８に出力しても良い。
【００７３】
要求情報検索手段２６は、認証手段２５によって特定された、ユーザが所望する外部情報の属性情報を、外部情報記憶手段２２から検索する手段である。要求情報検索手段２６は、連携識別情報ＩＤB´と、検索結果である外部情報の属性情報とを、属性情報送信手段２７に出力する。
また、要求情報検索手段２６は、認証手段２５によって認証されたユーザから要求された外部情報を、外部情報記憶手段２２から検索する手段である。要求情報検索手段２６は、識別情報ＩＤBと検索結果である外部情報とを、外部情報送信手段２８に出力する。
【００７４】
属性情報送信手段２７（第１属性情報送信手段）は、要求情報検索手段２６から、属性情報の入力を受け付けると、かかる属性情報と連携識別情報ＩＤB´とを、連携サーバ３０に送信する手段である。このようにして、外部情報提供サーバ２０から、連携サーバ３０を介してコンテンツ提供サーバ１０に、外部情報の属性情報のみが送出される。
【００７５】
外部情報送信手段２８は、要求情報検索手段２６から、外部情報と識別情報ＩＤBの入力を受け付けると、かかる外部情報を、識別情報ＩＤBに対応する受信端末４０に送信する手段である。なお、外部情報送信手段２８は、暗号化処理手段（図示せず）を備えていても良い。これにより、外部情報を暗号化して送信することができる。
このようにして、外部情報提供サーバ２０から、受信端末４０に、直接、外部情報が送出される。
【００７６】
［連携サーバの構成］
再び図２に示すように、連携サーバ３０は、連携識別情報記憶手段３１と、属性情報要求受信手段３２と、属性情報要求送信手段３３と、属性情報受信手段３４と、属性情報送信手段３５と、連携処理手段３６とを備える構成とした。
【００７７】
連携識別情報記憶手段３１は、連携識別情報ＩＤA´と、連携識別情報ＩＤB´とを予め対応付けて記憶する手段である。連携識別情報記憶手段３１は、例えば、図４に示すように、連携識別情報ＩＤA´と、連携識別情報ＩＤB´とが対応付けられたデータ構造となっており、連携識別情報ＩＤA´と、連携識別情報ＩＤB´とを紐付けて管理する。
図４では、連携識別情報ＩＤA´は、「ＡＢＣＤ０１２３ＥＦＧ」であり、連携識別情報ＩＤA´と対応付けられた連携識別情報ＩＤB´は、「８５６７４８５０３」である。
また、連携識別情報記憶手段３１で、さらに、連携サービスのセッション管理を行うこととしても良い。例えば図４では、セッションが確立していることを示す「オンライン」をステータスとして記述している。
このように、連携サーバ３０が、本来の認証で必要とされる、放送局用の識別情報ＩＤAと、外部情報提供サーバ２０用の識別情報ＩＤBとを紐付けるものではなく、連携サービス用に提示された連携識別情報ＩＤA´と、連携識別情報ＩＤB´とを予め対応付けた情報を保有することにより、外部情報の秘匿性を確保しつつ、１次リンクの範囲内で放送局と外部機関とを連携させることが可能となる。
【００７８】
属性情報要求受信手段３２（第１属性情報要求受信手段）は、コンテンツ提供サーバ１０から、外部情報を特定する要求サービス種別と、連携識別情報ＩＤA´とを含む属性情報要求を受信する手段である。属性情報要求受信手段３２は、受信した属性情報要求を、連携処理手段３６に出力する。
【００７９】
属性情報要求送信手段３３（第２属性情報要求送信手段）は、連携処理手段３６から、連携識別情報ＩＤA´と対応付けられた連携識別情報ＩＤB´の入力を受け付け、当該連携識別情報ＩＤB´に対応する外部情報提供サーバ２０に、属性情報要求を送信する手段である。
【００８０】
属性情報受信手段３４（第１属性情報受信手段）は、属性情報要求送信手段３３によって、外部情報提供サーバ２０に送信した属性情報要求に応じて、外部情報提供サーバから送信された属性情報を受信する手段である。属性情報受信手段３４は、受信した外部情報の情報量や情報格納先等の属性情報及び連携識別情報ＩＤB´を、連携処理手段３６に出力する。
【００８１】
属性情報送信手段３５（第２属性情報送信手段）は、連携処理手段３６から外部情報の情報量や情報格納先等の属性情報及び連携識別情報ＩＤA´の入力を受け付け、連携識別情報ＩＤA´に対応するコンテンツ提供サーバ１０に、属性情報を送信する手段である。
【００８２】
連携処理手段３６は、コンテンツ提供サーバ１０と、外部情報提供サーバ２０とを連携させるための処理を行う手段である。
詳しくは、連携処理手段３６は、属性情報要求受信手段３２から属性情報要求の入力を受け付け、この属性情報要求に含まれる連携識別情報ＩＤA´をもとに、連携識別情報記憶手段３１を検索し、連携識別情報ＩＤA´を、連携識別情報ＩＤA´と対応付けられた連携識別情報ＩＤB´に置き換えて、かかる連携識別情報ＩＤB´を含む属性情報要求を、属性情報要求送信手段３３に出力するものである。
また、連携処理手段３６は、属性情報受信手段３４から外部情報の属性情報と連携識別情報ＩＤB´の入力を受け付けると、連携識別情報記憶手段３１を検索し、連携識別情報ＩＤB´を、連携識別情報ＩＤB´と対応付けられた連携識別情報ＩＤA´に置き換えて、かかる連携識別情報ＩＤA´と属性情報とを、属性情報送信手段３５に出力するものである。
【００８３】
［受信端末の構成］
図２に示すように、受信端末４０は、サービス要求送信手段４１と、コンテンツ受信手段４２と、外部情報受信手段４３と、コンテンツ合成手段４４と、画面表示手段４５と、を備える構成とした。
【００８４】
サービス要求送信手段４１は、コンテンツ提供サーバ１０にコンテンツ要求を送信し、外部情報提供サーバ２０に外部情報を要求する手段であって、ここでは、コンテンツ要求送信手段４１ａと、外部情報要求送信手段４１ｂとを備える。
コンテンツ要求送信手段４１ａは、識別情報ＩＤAと、外部情報を特定する要求サービス種別と、放送局の認証情報ＶAとを含んだコンテンツ要求をコンテンツ提供サーバ１０に送信する手段である。識別情報ＩＤAと認証情報ＶAは、ユーザが外部から入力した情報に基づいても良いし、物理媒体の情報を読み込んでも良い。
コンテンツ要求送信手段４１ａは、例えば、ユーザから、リモコン等の入力手段を介して操作信号の入力を受け付けると、コンテンツ要求を生成するようになっている。
【００８５】
外部情報要求送信手段４１ｂは、識別情報ＩＤBと、外部情報を特定するための要求サービス種別と、外部情報提供サーバ２０の認証情報ＶBとを含んだ外部情報要求を、外部情報提供サーバ２０に送信する手段である。例えば、識別情報ＩＤBや認証情報ＶBは、鍵を用いた認証技術により生成されるものであっても良い。この場合、外部情報要求送信手段４１ｂに、鍵を格納したＩＣカード等の物理媒体から鍵を読み取る機能を持たせても良い。
外部情報要求送信手段４１ｂは、例えば、ユーザから、リモコン等の入力手段を介して操作信号の入力を受け付けると、外部情報要求を生成するようになっている。
【００８６】
コンテンツ受信手段４２は、コンテンツ要求送信手段４１ａにより、コンテンツ提供サーバ１０に送信されたコンテンツ要求に応じて、コンテンツ提供サーバ１０から送信されたコンテンツを受信する手段である。ここで、コンテンツ受信手段４２が受信するコンテンツは、コンテンツ提供サーバ１０によって、放送番組と、外部情報とを同時に表示可能な形式に整形されたものである。コンテンツ受信手段４２は、受信したコンテンツを、コンテンツ合成手段４４に出力する。
また、コンテンツ受信手段４２は、受信したコンテンツに含まれる外部情報の格納先の情報を、外部情報要求送信手段４１ｂに出力する。
【００８７】
外部情報受信手段４３は、外部情報要求送信手段４１ｂにより、外部情報提供サーバ２０に送信された外部情報要求に応じて、外部情報提供サーバ２０から送信された外部情報そのものを受信する手段である。外部情報受信手段４３は、受信した外部情報を、コンテンツ合成手段４４に出力する。
【００８８】
コンテンツ合成手段４４は、コンテンツ受信手段４２から入力を受け付けたコンテンツと、外部情報受信手段４３から入力を受け付けた外部情報とを合成する手段である。より詳細には、コンテンツ合成手段４４は、コンテンツの表示形式に従って、データ放送コンテンツの内部に、外部情報を埋め込む。コンテンツ合成手段４４は、外部情報が埋め込まれたデータ放送コンテンツを、画面表示手段４５に出力する。
【００８９】
画面表示手段４５は、コンテンツ合成手段４４から、データ放送コンテンツの入力を受け付け、かかるデータ放送コンテンツを、表示画面に表示させる手段である。画面表示手段４５は、ＢＭＬコンテンツを逐次解析して表示するＢＭＬブラウザとして機能する。
【００９０】
このようにして、放送波を介して受信する映像音声コンテンツと、コンテンツ提供サーバ１０から受信するコンテンツと、外部情報提供サーバ２０から直接取得する外部情報とを同時に表示することが可能となる。このため、ユーザが、データ放送コンテンツの視聴を中断することなく、外部情報を閲覧することが可能となる。また、外部情報は、外部情報提供サーバ２０から受信端末４０に直接送信され、受信端末４０で、データ放送コンテンツに埋め込む構成としたことにより、外部情報の秘匿性を確保することができる。
【００９１】
［第１実施形態に係るデータ放送システムの動作］
次に、第１実施形態に係るデータ放送システム１の動作について、図５から図７及び適宜図１から図４を参照して説明する。
【００９２】
＜コンテンツの要求から受信＞
なお、受信端末４０は、予め、放送波もしくは通信回線を介してデータ放送コンテンツを受信しており、ユーザから、リモコン等の入力手段を介して操作信号の入力を受け付けて、コンテンツ提供サーバ１０に誘導画面のコンテンツ送信を要求しているものとする。
図５に示すように、まず、コンテンツ提供サーバ１０から受信端末４０に対して、ＢＭＬで記述されたデータ放送コンテンツが送信される（ステップＳ１）。ここでのデータ放送コンテンツとは、図６に示すような、外部情報の閲覧を誘導するコンテンツ画面である（以下、「誘導画面」ともいう。）。受信端末４０は、コンテンツ提供サーバ１０から受信した誘導画面のコンテンツを表示画面に表示する（ステップＳ２）。
図６に示すように、誘導画面のコンテンツは、外部情報を有する外部情報提供サーバ２０の情報や、サービス種別を識別する情報が、ユーザの操作と関連付けて記述されている。ユーザは、受信端末画面上に表示された誘導画面から、例えば、ボタン押下等のリモコン操作によって、外部情報に関するサービス要求を行う。例えば、図６では、「あなたの医療情報へ」や「あなたの年金情報へ」のボタンを押下することで、コンテンツ提供サーバ１０に対してコンテンツ要求送信が行われる。
【００９３】
再び図５に示すように、受信端末４０は、サービス要求送信手段４１によって、ユーザから、リモコン等の入力手段を介して操作信号の入力を受け付けると、コンテンツ要求送信手段４１ａによって、識別情報ＩＤAと、外部情報を特定する要求サービス種別と、放送局の認証情報ＶAとを含むコンテンツ要求を生成し、コンテンツ提供サーバ１０に送信する（ステップＳ３）。
【００９４】
コンテンツ提供サーバ１０は、コンテンツ要求受信手段１３によって、受信端末４０から送信されたコンテンツ要求を受信する。そして、コンテンツ提供サーバ１０は、コンテンツ要求受信手段１３によって、受信したコンテンツ要求を認証手段１４に出力する。
次に、コンテンツ提供サーバ１０は、認証手段１４によって、コンテンツ要求受信手段１３からコンテンツ要求の入力を受け付けると、コンテンツ要求に含まれる識別情報ＩＤAと認証情報ＶAとを、それぞれ、識別情報記憶手段１１に記憶された識別情報ＩＤAまたは認証情報ＶAと照合して認証する（ステップＳ４）。
【００９５】
コンテンツ提供サーバ１０は、認証手段１４によって、認証が確認された場合、識別情報ＩＤAに対応する連携識別情報ＩＤA´と、外部情報を特定する要求サービス種別とを含むユーザ認証情報を属性情報要求送信手段１５に出力する。一方、認証手段１４によって、認証が確認されなかった場合、処理を終了する。
そして、コンテンツ提供サーバ１０は、属性情報要求送信手段１５によって、認証手段１４からユーザ認証情報が入力されると、識別情報ＩＤAに対応する連携識別情報ＩＤA´と、外部情報を特定する要求サービス種別とを、外部情報の属性を示す属性情報を要求する属性情報要求として、連携サーバ３０に送信する（ステップＳ５）。
【００９６】
連携サーバ３０は、属性情報要求受信手段３２によって、コンテンツ提供サーバ１０から送信された属性情報要求を受信し、受信した属性情報要求を、連携処理手段３６に出力する。
【００９７】
そして、連携サーバ３０は、連携処理手段３６によって、属性情報要求受信手段３２から属性情報要求の入力を受け付けると、かかる属性情報要求に含まれる連携識別情報ＩＤA´に基づき、連携識別情報記憶手段３１を検索し、属性情報要求に含まれる連携識別情報ＩＤA´を、当該連携識別情報ＩＤA´と対応付けられた連携識別情報ＩＤB´に置き換えることでユーザの連携を行い、連携識別情報ＩＤB´を、属性情報要求送信手段３３に送信する（ステップＳ６）。一方、連携サーバ３０は、連携処理手段３６によって、連携識別情報記憶手段３１を検索した結果、連携識別情報ＩＤA´がなかった場合には処理を終了する。
そして、連携サーバ３０は、属性情報要求送信手段３３によって、連携処理手段３６から属性情報要求の入力を受け付けると、属性情報要求に含まれる連携識別情報ＩＤB´に対応する外部情報提供サーバ２０に、属性情報要求を送信する（ステップＳ７）。
【００９８】
外部情報提供サーバ２０は、属性情報要求受信手段２３によって、連携サーバ３０から、属性情報要求の入力を受け付ける。そして、外部情報提供サーバ２０は、属性情報要求受信手段２３によって、受信した属性情報要求を、認証手段２５に出力する。
認証手段２５は、属性情報要求受信手段２３から属性情報要求の入力を受け付けると、かかる属性情報要求に含まれる連携識別情報ＩＤB´に基づき、識別情報記憶手段２１において、連携識別情報ＩＤB´と対応付けられたユーザを認証する（ステップＳ８）。
【００９９】
外部情報提供サーバ２０は、認証手段２５によって、認証が確認された場合、属性情報要求と連携識別情報ＩＤB´とを要求情報検索手段２６に出力する。
一方、外部情報提供サーバ２０は、認証手段２５によって、認証が確認されなかった場合、処理を終了する。
【０１００】
外部情報提供サーバ２０は、要求情報検索手段２６によって、認証手段２５から属性情報要求と連携識別情報ＩＤB´の入力を受け付け、属性情報要求に含まれる要求サービス種別に基づき、ユーザが所望する外部情報の属性情報を、外部情報記憶手段２２から検索する。
次に、外部情報提供サーバ２０は、要求情報検索手段２６によって、検索結果である外部情報の属性情報と、連携識別情報ＩＤB´とを、属性情報送信手段２７に出力する。
そして、外部情報提供サーバ２０は、属性情報送信手段２７によって、要求情報検索手段２６から外部情報の属性情報と連携識別情報ＩＤB´の入力を受け付けると、かかる属性情報と連携識別情報ＩＤB´とを、連携サーバ３０に送信する（ステップＳ９）。
【０１０１】
連携サーバ３０は、属性情報受信手段３４によって、外部情報提供サーバ２０から、属性情報と連携識別情報ＩＤB´とを受信する。連携サーバ３０は、属性情報受信手段３４によって、属性情報と連携識別情報ＩＤB´の入力を受け付けると、これらを、連携処理手段３６に出力する。
次に、連携サーバ３０は、連携処理手段３６によって、属性情報受信手段３４から属性情報と連携識別情報ＩＤB´の入力を受け付けると、連携識別情報記憶手段３１を検索し、連携識別情報ＩＤB´を、当該連携識別情報ＩＤB´と対応付けられた連携識別情報ＩＤA´に置き換えることで、ユーザの連携を行う（ステップＳ１０）。
そして、連携サーバ３０は、連携処理手段３６によって、属性情報と連携識別情報ＩＤA´とを、属性情報送信手段３５に出力する。
連携サーバ３０は、属性情報送信手段３５によって、連携処理手段３６から属性情報と連携識別情報ＩＤB´の入力を受け付けると、連携識別情報ＩＤA´に対応するコンテンツ提供サーバ１０に、属性情報と連携識別情報ＩＤA´とを送信する（ステップＳ１１）。
【０１０２】
コンテンツ提供サーバ１０は、属性情報受信手段１６によって、連携サーバ３０から送信された属性情報を受信する。コンテンツ提供サーバ１０は、属性情報受信手段１６によって、受信した属性情報をコンテンツ整形手段１７に出力し、連携識別情報ＩＤA´を認証手段１４に出力する。
コンテンツ提供サーバ１０は、認証手段１４によって、属性情報受信手段１６から連携識別情報ＩＤA´の入力を受け付けると、識別情報記憶手段１１を検索し、連携識別情報ＩＤA´に対応付けられた識別情報ＩＤAを、コンテンツ送信手段１８に出力する。
コンテンツ提供サーバ１０は、コンテンツ整形手段１７によって、属性情報受信手段１６から属性情報の入力を受け付けると、この属性情報に基づいて、コンテンツ記憶手段１２に記憶されているデータ放送コンテンツの表示形式を、外部情報に適した表示形式に整形する。すなわち、データ放送コンテンツに、ユーザが所望する外部情報を埋め込み可能な形式に整形する。さらに、外部情報の情報量が多い場合、ページを分割する等によりユーザが見やすいレイアウトとなるようにコンテンツを整形する。このコンテンツには、属性情報受信手段１６によって外部情報提供サーバ２０から取得した属性情報に含まれる、外部情報の詳細な格納場所が記載されている。コンテンツ提供サーバ１０は、コンテンツ整形手段１７によって、整形したコンテンツを、コンテンツ送信手段１８に出力する。
【０１０３】
そして、コンテンツ提供サーバ１０は、コンテンツ送信手段１８によって、認証手段１４から識別情報ＩＤAの入力を受け付けると、コンテンツ整形手段１７から入力を受け付けたコンテンツを、識別情報ＩＤAに対応する受信端末４０に送信する（ステップＳ１２）。
【０１０４】
受信端末４０は、コンテンツ受信手段４２によって、コンテンツ提供サーバ１０から、表示形式が整形されたコンテンツを受信する。受信端末４０は、コンテンツ受信手段４２によって、受信したコンテンツを、コンテンツ合成手段４４に出力する。
【０１０５】
このようにして、連携サーバ３０により、コンテンツ提供サーバ１０と外部情報提供サーバ２０とを連携させ、外部情報提供サーバ２０から、連携サーバ３０を介してコンテンツ提供サーバ１０に、外部情報の属性情報のみを送信し、コンテンツ提供サーバ１０から、属性情報に基づいて表示形式を整形したコンテンツを、受信端末４０に送信する。
【０１０６】
＜外部情報の要求から受信＞
受信端末４０は、外部情報要求送信手段４１ｂによって、コンテンツ受信手段４２から外部情報の格納先の情報の入力を受け付けると、識別情報ＩＤBと、外部情報を特定するための要求サービス種別と、外部情報提供サーバ２０の認証情報ＶBとを含んだ外部情報要求を、外部情報提供サーバ２０に送信する（ステップＳ１３）。
【０１０７】
外部情報提供サーバ２０は、外部情報要求受信手段２４によって、受信端末４０から、ユーザの識別情報ＩＤBと、外部情報提供サーバ２０の認証情報ＶBとを含む外部情報要求を受信する。
外部情報提供サーバ２０は、外部情報要求受信手段２４によって、受信した外部情報要求を、認証手段２５に出力する。
外部情報提供サーバ２０は、認証手段２５によって、外部情報要求受信手段２４から、外部情報要求の入力を受け付けると、かかる外部情報要求に含まれる識別情報ＩＤBと、認証情報ＶBとに基づき、識別情報記憶手段２１に記憶された識別情報ＩＤBまたは認証情報ＶBと照合して認証する（ステップＳ１４）。
【０１０８】
外部情報提供サーバ２０は、認証手段２５によって、認証が確認された場合、外部情報要求を、要求情報検索手段２６に出力する。一方、外部情報提供サーバ２０は、認証手段２５によって、認証が確認されなかった場合、処理を終了する。
外部情報提供サーバ２０は、要求情報検索手段２６によって、認証手段２５によって認証されたユーザから要求された外部情報を、外部情報記憶手段２２から検索する。
外部情報提供サーバ２０は、要求情報検索手段２６によって、検索結果として、外部情報を、外部情報送信手段２８に出力する。
外部情報提供サーバ２０は、外部情報送信手段２８によって、要求情報検索手段２６から、外部情報の入力を受け付けると、かかる外部情報と、識別情報ＩＤBとを、識別情報ＩＤBに対応する受信端末４０に送信する（ステップＳ１５）。このとき、外部情報提供サーバ２０は、外部情報送信手段２８によって、外部情報を、暗号化して送信すると好ましい。
【０１０９】
受信端末４０は、外部情報受信手段４３によって、外部情報提供サーバ２０から送信された外部情報そのものを受信する。受信端末４０は、外部情報受信手段４３によって、受信した外部情報を、コンテンツ合成手段４４に出力する。
【０１１０】
＜コンテンツと外部情報との合成＞
受信端末４０は、コンテンツ合成手段４４によって、コンテンツ受信手段４２から入力を受け付けたコンテンツと、外部情報受信手段４３から入力を受け付けた外部情報とを合成する。より詳細には、コンテンツ合成手段４４は、コンテンツの表示形式に従って、データ放送コンテンツの内部に、外部情報を埋め込む（ステップＳ１６）。受信端末４０は、コンテンツ合成手段４４によって、外部情報が埋め込まれたデータ放送コンテンツを、画面表示手段４５に出力する。
【０１１１】
＜画面表示＞
受信端末４０は、画面表示手段４５によって、コンテンツ合成手段４４からデータ放送コンテンツの入力を受け付けると、かかるデータ放送コンテンツを、表示画面に表示させる（ステップＳ１７）。例えば、図６の誘導画面で、ユーザにより、「あなたの医療情報へ」が選択された場合、図７に示すように、放送番組とともに、ユーザの医療情報であるカルテが表示される。また、図７では、「カルテ１」と「カルテ２」にページが分割されている。
第１実施形態に係るデータ放送システム１は、以上のように動作する。
【０１１２】
第１実施形態に係るデータ放送システム１によれば、以上のように動作することにより、受信端末４０において、放送波を介して受信する映像音声コンテンツと、放送波もしくはコンテンツ提供サーバ１０から受信するＢＭＬコンテンツと、外部情報提供サーバ２０から直接取得する外部情報とを同時に表示画面に表示することが可能となる。このため、ユーザが、１次リンク内で提供されるデータ放送コンテンツの視聴を中断することなく、外部情報を閲覧することが可能となる。また、データ放送システム１によれば、外部情報を、コンテンツ提供サーバ１０を経由させずに、外部情報提供サーバ２０から受信端末４０に直接送信し、受信端末４０で、データ放送コンテンツに埋め込むことを可能としたことにより、外部情報の秘匿性を確保することができる。このため、放送局は、個人の医療情報や年金情報等の秘匿性の高い外部情報を扱う外部機関とも連携することが可能となる。これにより、データ放送サービスの拡充を図ることができるとともに、外出が困難な高齢者等の行政サービスの利用に資することができる。
さらに、放送局が、ユーザ個人の外部情報に適したテンプレートを提供することにより、ユーザが、個人の外部情報に適したテンプレートで外部情報を閲覧することが可能となる。これにより、視認性、操作性を向上させることができ、パソコンの操作に不慣れな高齢者等であっても、容易に操作することが可能となる。
【０１１３】
以上、第１実施形態に係るデータ放送システム１について説明したが、これに限られるものではない。
第１実施形態では、要求情報検索手段２６により、外部情報記憶手段２２に記憶された外部情報から、属性情報を検索することとしたが、これに限られるものではない。例えば、識別情報記憶手段２１に、外部情報の属性情報を予め保有させ、連携サーバ３０から属性情報要求を受信した場合に、識別情報記憶手段２１から、外部情報の属性情報を読み出すように構成しても良い。これによれば、要求情報検索手段２６が不要となるため、構成を簡素化することができ、また、処理速度を向上させることができる。
【０１１４】
なお、第１実施形態では、識別情報ＩＤAと連携識別情報ＩＤA´とを異ならせ、識別情報ＩＤBと連携識別情報ＩＤB´とを異ならせているが、識別情報ＩＤAと連携識別情報ＩＤA´との関係性及び識別情報ＩＤBと連携識別情報ＩＤB´との関係性は、外部情報の秘匿性の程度に応じて決定することができる。
例えば、放送局と連携サービスを行う外部機関との間で情報共有を許す場合には、ＩＤA＝ＩＤA´、ＩＤB＝ＩＤB´としても良い。これにより、オープンな連携認証システムを実現することができる。
一方、第１実施形態のように、外部情報が秘匿性を有する情報である場合には、放送局に、外部情報そのものへのアクセス権を持たせないようにするために、少なくともＩＤB≠ＩＤB´とすることが好ましい。
【０１１５】
また例えば、放送局のサービスで予め事業者専用領域に登録しておいた居住地域情報や個人の嗜好などを用いて、適切な番組情報や、お店情報等を放送局から提供して提示するとともに、それらの情報をもとに、外部情報提供サーバ２０から外部情報を取得して提示しても良い（ＡＲＩＢ  ＳＴＤ−Ｂ２４  第２編  付録規定Ｂ）。例えば、放送事業者専用の不揮発性記憶領域に、予め〒１２３−４５６７という地域情報が格納されていた場合、その情報に限定した個人の医療情報（例えば、〒１２３−４５６７のかかりつけの医院等）のみを取得して、放送局の放送番組コンテンツと同時に表示画面に提示することも可能となる。
【０１１６】
［第２実施形態に係るデータ放送システムの概要］
前記した第１実施形態に係るデータ放送システムでは、コンテンツ提供サーバにおいてコンテンツの整形を行い、整形後のコンテンツを受信端末に送信する構成としたが、第２実施形態に係るデータ放送システムは、コンテンツの整形を受信端末で行う構成とした。
【０１１７】
［第２実施形態に係るデータ放送システムの構成］
次に、本発明の第２実施形態に係るデータ放送システムの構成について説明する。
第２実施形態に係るデータ放送システムの構成のうち、第１実施形態に係るデータ放送システムと同一の機能を有するものには同一の符号を付し、説明を省略する。
【０１１８】
図１及び図８に示すように、第２実施形態に係るデータ放送システム１Ｂは、コンテンツ提供サーバ１０Ｂと、外部情報提供サーバ２０と、連携サーバ３０と、受信端末４０Ｂとを備える構成とした。以下、図８を参照して詳しく説明する。
コンテンツ提供サーバ１０Ｂは、識別情報記憶手段１１と、コンテンツ記憶手段１２と、コンテンツ要求受信手段１３と、認証手段１４と、属性情報要求送信手段１５と、属性情報受信手段１６と、コンテンツ送信手段１８と、属性情報送信手段１９と、を備える構成とした。
【０１１９】
属性情報受信手段１６は、連携サーバ３０から送信された属性情報を受信し、受信した属性情報を、属性情報送信手段１９に出力する手段である。
属性情報送信手段１９（第３属性情報送信手段）は、属性情報受信手段１６から入力を受け付けた属性情報を、受信端末４０Ｂに送信する手段である。
【０１２０】
コンテンツ送信手段１８は、コンテンツ記憶手段１２からデータ放送コンテンツを取得し、取得したデータ放送コンテンツをそのままの表示形式で、識別情報ＩＤAに対応する受信端末４０Ｂに送信する手段である。
【０１２１】
受信端末４０Ｂは、サービス要求送信手段４１（コンテンツ要求送信手段４１ａ、外部情報要求送信手段４１ｂ）と、コンテンツ受信手段４２と、外部情報受信手段４３と、コンテンツ合成手段４４と、画面表示手段４５と、属性情報受信手段４６と、コンテンツ整形手段４７と、を備える構成とした。
属性情報受信手段４６（第３属性情報受信手段）は、コンテンツ提供サーバ１０Ｂの属性情報送信手段１９から送信された属性情報を受信する手段である。属性情報受信手段４６は、受信した属性情報を、コンテンツ整形手段４７に出力する。
【０１２２】
コンテンツ整形手段４７は、属性情報受信手段４６から属性情報の入力を受け付けるとともに、コンテンツ受信手段４２からデータ放送コンテンツの入力を受け付け、属性情報に基づいて、データ放送コンテンツの表示形式を整形する手段である。詳細には、コンテンツ整形手段４７は、コンテンツ提供サーバ１０Ｂから提供された属性情報に基づき、放送番組と、外部情報とを同一画面上で表示可能な表示形式にコンテンツのテンプレートを整形する。例えば、外部情報の情報量が多いユーザに対しては、複数ページにわたって情報を閲覧できるテンプレートを提供する。このとき、コンテンツ整形手段４７を、予め用意した複数種類のＢＭＬテンプレートから適切なものを選択するように構成しても良いし、属性情報に応じて、適切なＢＭＬテンプレートを動的に生成するスクリプトを実行するように構成しても良い。コンテンツ整形手段４７は、属性情報に基づいて整形したコンテンツのテンプレートを、コンテンツ合成手段４４に出力する。
【０１２３】
［第２実施形態に係るデータ放送システムの動作］
次に、第２実施形態に係るデータ放送システム１Ｂの動作について、図８及び図９を参照して説明する。なお、第２実施形態に係るデータ放送システム１Ｂの動作におけるステップＳ１からステップＳ１１及びステップＳ１３からステップＳ１７までは、第１実施形態に係るデータ放送システム１の動作と同様であるので、説明を省略する。
【０１２４】
図９に示すように、コンテンツ提供サーバ１０Ｂは、属性情報受信手段１６によって、外部情報提供サーバ２０から属性情報を受信する。コンテンツ提供サーバ１０Ｂは、属性情報受信手段１６によって、受信した属性情報を、属性情報送信手段１９に出力し、連携識別情報ＩＤA´を、認証手段１４に出力する。
コンテンツ提供サーバ１０Ｂは、認証手段１４によって、識別情報記憶手段１１を検索し、連携識別情報ＩＤA´に対応付けられた識別情報ＩＤAを属性情報送信手段１９に出力する。
コンテンツ提供サーバ１０Ｂは、属性情報送信手段１９によって、属性情報受信手段１６から入力を受け付けた属性情報を、認証手段１４から入力を受け付けた識別情報ＩＤAに対応する受信端末４０Ｂに送信する（ステップＳ２１）。
また、コンテンツ提供サーバ１０Ｂは、コンテンツ送信手段１８によって、識別情報ＩＤAに対応する受信端末４０Ｂにコンテンツを送信する（ステップＳ２２）。
【０１２５】
受信端末４０Ｂは、属性情報受信手段４６によって、コンテンツ提供サーバ１０Ｂから送信された属性情報を受信する。
また、受信端末４０Ｂは、属性情報受信手段４６によって、受信した属性情報を、コンテンツ整形手段４７に出力する。
次に、受信端末４０Ｂは、コンテンツ受信手段４２によって、コンテンツ提供サーバ１０Ｂから送信されたデータ放送コンテンツを受信する。
そして、受信端末４０Ｂは、コンテンツ受信手段４２によって、受信したデータ放送コンテンツを、コンテンツ整形手段４７に出力する。
【０１２６】
受信端末４０Ｂは、コンテンツ整形手段４７によって、属性情報受信手段４６から属性情報の入力を受け付けるとともに、コンテンツ受信手段４２からデータ放送コンテンツの入力を受け付けると、属性情報に基づいて、データ放送コンテンツの表示形式を、外部情報に適した表示形式に整形する（ステップＳ２３）。
そして、受信端末４０Ｂは、コンテンツ整形手段４７によって、表示形式を整形したデータ放送コンテンツを、コンテンツ合成手段４４に出力する。
そして、受信端末４０Ｂは、ステップＳ１３からステップＳ１７の動作により、コンテンツ合成手段４４によって、外部情報が埋め込まれたデータ放送コンテンツを、画面表示手段４５に出力する。
【０１２７】
第２実施形態に係るデータ放送システム１Ｂによれば、受信端末４０Ｂにおいて、放送波を介して受信する映像音声コンテンツと、放送波もしくはコンテンツ提供サーバ１０Ｂから受信するＢＭＬコンテンツと、外部情報提供サーバ２０から直接取得する外部情報とを同時に表示画面に表示することが可能となる。このため、ユーザが、１次リンク内で提供されるデータ放送コンテンツの視聴を中断することなく、外部情報を閲覧することが可能となる。また、外部情報を、コンテンツ提供サーバ１０Ｂを経由させずに、外部情報提供サーバ２０から受信端末４０Ｂに直接送信し、受信端末４０Ｂで、データ放送コンテンツに埋め込むことを可能としたことにより、外部情報の秘匿性を確保することができる。このため、放送局は、個人の医療情報や年金情報等の秘匿性の高い外部情報を扱う外部機関とも連携することが可能となる。これにより、データ放送サービスの拡充を図ることができるとともに、外出が困難な高齢者等の行政サービス等の利用に資することができる。
さらに、受信端末４０Ｂが、ユーザ個人の外部情報に適したテンプレートを選択もしくは生成することにより、ユーザが、個人の外部情報に適したテンプレートで外部情報を閲覧することが可能となる。これにより、視認性、操作性を向上させることができ、パソコンの操作に不慣れな高齢者等であっても、容易に操作することが可能となる。
【０１２８】
［第３実施形態に係るデータ放送システムの概要］
前記第１及び第２実施形態に係るデータ放送システムでは、コンテンツ提供サーバと外部情報提供サーバのそれぞれによって正規の識別情報を連携識別情報に置き換え、連携サーバによって、この連携識別情報同士を紐付ける構成としたが、第３実施形態に係るデータ放送システムは、連携サーバが、正規の識別情報と連携識別情報とを保持し、全ての認証を行う構成とした。
【０１２９】
［第３実施形態に係るデータ放送システムの構成］
次に、本発明の第３実施形態に係るデータ放送システムの構成について説明する。
第３実施形態に係るデータ放送システムの構成のうち、第１実施形態に係るデータ放送システムと同一の機能を有するものには同一の符号を付し、説明を省略する。
【０１３０】
図１及び図１０に示すように、第３実施形態に係るデータ放送システム１Ｃは、コンテンツ提供サーバ１０Ｃと、外部情報提供サーバ２０Ｃと、連携サーバ３０Ｃと、受信端末４０とを備える構成とした。以下、図１０を参照して詳しく説明する。
コンテンツ提供サーバ１０Ｃは、コンテンツ記憶手段１２と、コンテンツ要求受信手段１３と、属性情報要求送信手段１５Ｃと、属性情報受信手段１６Ｃと、コンテンツ整形手段１７と、コンテンツ送信手段１８と、認証要求送信手段１０１と、認証結果受信手段１０２と、を備える構成とした。
なお、本実施形態では、コンテンツ要求受信手段１３は、受信端末４０からコンテンツ要求を受信し、コンテンツ要求に含まれる受信端末４０用の個人識別ＩＤである識別情報ＩＤAと、この識別情報ＩＤAの認証要求信号とを認証要求送信手段１０１に出力し、コンテンツ要求に含まれる要求サービス種別を属性情報要求送信手段１５Ｃに出力するものとする。
【０１３１】
認証要求送信手段１０１は、コンテンツ要求受信手段１３からコンテンツ要求の入力を受け付け、このコンテンツ要求に含まれる受信端末４０用の個人識別ＩＤである識別情報ＩＤAとこの識別情報ＩＤAの認証要求信号とを連携サーバ３０Ｃに送信する手段である。
認証結果受信手段１０２は、認証要求送信手段１０１によって連携サーバ３０Ｃに送信された認証要求に応じて、連携サーバ３０Ｃから認証結果として送信される、外部情報提供サーバ２０Ｃに属性情報を要求するための連携識別情報ＩＤCを受信する手段である。認証結果受信手段１０２は、受信した連携識別情報ＩＤCを、属性情報要求送信手段１５Ｃに出力する。
【０１３２】
属性情報要求送信手段１５Ｃは、認証結果受信手段１０２から連携識別情報ＩＤCの入力を受け付けるとともに、コンテンツ要求受信手段１３から要求サービス種別の入力を受け付け、この要求サービス種別と連携識別情報ＩＤCとを含む属性情報要求を、外部情報提供サーバ２０Ｃに送信する手段である。
属性情報受信手段１６Ｃは、属性情報要求送信手段１５Ｃによって外部情報提供サーバ２０Ｃに送信された属性情報要求に対応する属性情報を、外部情報提供サーバ２０Ｃから受信する手段である。属性情報受信手段１６Ｃは、受信した属性情報を、コンテンツ整形手段１７に出力する。
【０１３３】
外部情報提供サーバ２０Ｃは、識別情報記憶手段２１と、外部情報記憶手段２２と、属性情報要求受信手段２３Ｃと、外部情報要求受信手段２４と、認証手段２５と、要求情報検索手段２６Ｃと、属性情報送信手段２７Ｃと、外部情報送信手段２８と、認証確認要求送信手段２０１と、認証確認結果受信手段２０２とを備える構成とした。
【０１３４】
属性情報要求受信手段２３Ｃは、コンテンツ提供サーバ１０Ｃから、連携識別情報ＩＤCと属性情報要求とを受信する手段である。属性情報要求受信手段２３Ｃは、受信した連携識別情報ＩＤCを認証確認要求送信手段２０１に出力し、属性情報要求を要求情報検索手段２６Ｃに出力する。
【０１３５】
認証確認要求送信手段２０１は、属性情報要求受信手段２３Ｃから連携識別情報ＩＤCの入力を受け付け、この連携識別情報ＩＤCと認証確認要求とを連携サーバ３０Ｃに送信する手段である。
認証確認結果受信手段２０２は、認証確認要求送信手段２０１から連携サーバ３０Ｃに送信した連携識別情報ＩＤCと認証確認要求信号に応じて連携サーバ３０Ｃから認証確認結果として送信された、外部情報提供サーバ２０Ｃ用の個人識別ＩＤである識別情報ＩＤBを受信する手段である。
【０１３６】
認証確認結果受信手段２０２は、連携サーバ３０Ｃから識別情報ＩＤBを受信すると、認証が確認されたことを示す信号を要求情報検索手段２６Ｃに出力する。
要求情報検索手段２６Ｃは、コンテンツ提供サーバ１０または受信端末４０Ｃからの要求に基づいて外部情報記憶手段２２を検索し、検索結果を出力する手段である。
つまり、要求情報検索手段２６Ｃは、属性情報要求受信手段２３Ｃから属性情報要求の入力を受け付け、この属性情報要求に基づいて外部情報記憶手段２２を検索し、属性情報要求に対応する属性情報を検索結果として出力する手段である。
また、要求情報検索手段２６Ｃは、外部情報要求受信手段２４から外部情報要求の入力を受け付け、この外部情報要求に基づいて外部情報記憶手段２２を検索し、外部情報要求に対応する外部情報を検索結果として出力する手段である。
属性情報送信手段２７Ｃは、要求情報検索手段２６Ｃから、属性情報の入力を受け付け、この属性情報を、コンテンツ提供サーバ１０Ｃに送信する手段である。
【０１３７】
なお、第３実施形態に係るデータ放送システム１Ｃでは、連携に必要な認証を全て連携サーバ３０Ｃに委ねるため、識別情報記憶手段２１及び認証手段２５は、外部情報要求受信手段２４によって受信端末４０から受信した外部情報要求に含まれる識別情報ＩＤBの認証のみ行う。
【０１３８】
連携サーバ３０Ｃは、連携識別情報記憶手段３１Ｃと、認証要求受信手段３０１と、認証確認結果送信手段３０２と、認証確認要求受信手段３０３と、認証結果送信手段３０４と、連携処理手段３６Ｃと、を備える構成とした。
【０１３９】
連携識別情報記憶手段３１Ｃは、放送局用の識別情報ＩＤAと、外部情報提供サーバ２０用の識別情報ＩＤBと、認証連携用の連携識別情報ＩＤCとを予め対応付けて記憶する手段である。連携識別情報記憶手段３１Ｃは、図１１に示すように、例えば識別情報ＩＤAとして「９８７６５４３」と、識別情報ＩＤBとして「９８２７３７４８２１」と、連携識別情報ＩＤCとして「７４７５６９２３４」とを対応付けて記憶する。
このように、連携サーバ３０Ｃが、コンテンツ提供サーバ１０Ｃ用の識別情報ＩＤAと、外部情報提供サーバ２０Ｃ用の識別情報ＩＤBと、認証連携用の連携識別情報ＩＤCとを予め対応付けた情報を保有することにより、コンテンツ提供サーバ１０Ｃと外部情報提供サーバ２０Ｃとの間で情報をやり取りするために必要な認証を、全て連携サーバ３０Ｃで行うことができる。
【０１４０】
認証要求受信手段３０１は、コンテンツ提供サーバ１０Ｃから識別情報ＩＤAと認証要求を受信する手段である。認証要求受信手段３０１は、受信した識別情報ＩＤAと認証要求とを、連携処理手段３６Ｃに出力する。
認証結果送信手段３０４は、連携処理手段３６Ｃから連携識別情報ＩＤCの入力を受け付け、この連携識別情報ＩＤCを、コンテンツ提供サーバ１０Ｃに送信する手段である。
【０１４１】
認証確認要求受信手段３０３は、外部情報提供サーバ２０Ｃから連携識別情報ＩＤCと認証確認要求とを受信する手段である。認証確認要求受信手段３０３は、受信した連携識別情報ＩＤCと認証確認要求とを、連携処理手段３６Ｃに出力する。
認証確認結果送信手段３０２は、連携処理手段３６Ｃから識別情報ＩＤBの入力を受け付け、この識別情報ＩＤBを、外部情報提供サーバ２０Ｃに送信する手段である。
【０１４２】
連携処理手段３６Ｃは、コンテンツ提供サーバ１０Ｃと外部情報提供サーバ２０との連携のための処理を行う手段である。
連携処理手段３６Ｃは、認証要求受信手段３０１から識別情報ＩＤAと認証要求信号との入力を受け付けると、識別情報ＩＤAをもとに連携識別情報記憶手段３１Ｃを検索し、識別情報ＩＤAと対応付けられて記憶された連携識別情報ＩＤCを、検索結果として認証結果送信手段３０４に出力する。
また、連携処理手段３６Ｃは、認証確認要求受信手段３０３から連携識別情報ＩＤCと認証要求信号との入力を受け付けると、連携識別情報記憶手段３１Ｃを検索し、連携識別情報ＩＤCを識別情報ＩＤBに置き換えて認証確認結果送信手段３０２に出力する。
【０１４３】
受信端末４０は、サービス要求送信手段４１と、コンテンツ受信手段４２と、外部情報受信手段４３と、コンテンツ合成手段４４と、画面表示手段４５と、を備える構成とした。
【０１４４】
［第３実施形態に係るデータ放送システムの動作］
次に、第３実施形態に係るデータ放送システム１Ｃの動作について、図１０及び図１２を参照して説明する。なお、第３実施形態に係るデータ放送システム１Ｃの動作におけるステップＳ１からステップＳ３まで、及びステップＳ１２からステップＳ１７までは、第１実施形態に係るデータ放送システム１の動作と同様であるので、説明を省略する。
【０１４５】
図１０に示すように、コンテンツ提供サーバ１０Ｃは、コンテンツ要求受信手段１３によって、受信端末４０からコンテンツ要求を受信すると、このコンテンツ要求に含まれる識別情報ＩＤAとこの識別情報ＩＤAの認証要求とを、認証要求送信手段１０１によって、連携サーバ３０Ｃに送信する（ステップＳ３１）。また、コンテンツ提供サーバ１０Ｃは、コンテンツ要求受信手段１３によって、受信端末４０から受信したコンテンツ要求に含まれる要求サービス種別を属性情報要求送信手段１５Ｃに出力する。
【０１４６】
連携サーバ３０Ｃは、認証要求受信手段３０１によって、コンテンツ提供サーバ１０Ｃから送信された識別情報ＩＤAと認証要求とを受信する。連携サーバ３０Ｃは、認証要求受信手段３０１によって、受信した識別情報ＩＤAを、連携処理手段３６Ｃに出力する。
【０１４７】
連携サーバ３０Ｃは、連携処理手段３６Ｃによって、識別情報ＩＤAの入力を受け付けると、連携識別情報記憶手段３１Ｃを検索し、識別情報ＩＤAを認証する（ステップＳ３２）。なお、識別情報ＩＤAが見つからなければ、処理を終了する。
【０１４８】
そして、連携サーバ３０Ｃは、連携処理手段３６Ｃによって、連携識別情報記憶手段３１Ｃを検索した結果、識別情報ＩＤAが見つかった場合、識別情報ＩＤAに対応付けられた連携識別情報ＩＤCがあるかどうか連携識別情報記憶手段３１Ｃをさらに検索し、連携識別情報ＩＤCが見つかった場合、この連携識別情報ＩＤCを認証結果として認証結果送信手段３０４に出力する（ステップＳ３３）。なお、連携サーバ３０は、連携処理手段３６Ｃによって、識別情報ＩＤAに対応付けられた連携識別情報ＩＤCが見つからなければ、処理を終了する。
そして、連携サーバ３０Ｃは、認証結果送信手段３０４によって、連携識別情報ＩＤCをコンテンツ提供サーバ１０Ｃに送信する（ステップＳ３４）。
【０１４９】
コンテンツ提供サーバ１０Ｃは、認証結果受信手段１０２によって、連携サーバ３０Ｃから連携識別情報ＩＤCを受信する。コンテンツ提供サーバ１０Ｃは、認証結果受信手段１０２によって、受信した連携識別情報ＩＤCを、属性情報要求送信手段１５Ｃに出力する。
そして、コンテンツ提供サーバ１０Ｃは、属性情報要求送信手段１５Ｃによって、認証結果受信手段１０２から入力を受け付けた連携識別情報ＩＤCと、コンテンツ要求受信手段１３から入力を受け付けた要求サービス種別とを含む属性情報要求を、外部情報提供サーバ２０Ｃに送信する（ステップＳ３５）。
【０１５０】
外部情報提供サーバ２０Ｃは、属性情報要求受信手段２３Ｃによって、コンテンツ提供サーバ１０Ｃから送信された連携識別情報ＩＤCと属性情報要求とを受信する。外部情報提供サーバ２０Ｃは、属性情報要求受信手段２３Ｃによって、受信した連携識別情報ＩＤCを認証確認要求送信手段２０１に出力し、属性情報要求を、要求情報検索手段２６Ｃに出力する。
そして、外部情報提供サーバ２０Ｃは、認証確認要求送信手段２０１によって、属性情報要求受信手段２３Ｃから入力を受け付けた連携識別情報ＩＤCと連携識別情報ＩＤCの認証確認要求とを、連携サーバ３０Ｃに送信する（ステップＳ３６）。
【０１５１】
連携サーバ３０Ｃは、認証確認要求受信手段３０３によって、外部情報提供サーバ２０Ｃから送信された連携識別情報ＩＤCと連携識別情報ＩＤCの認証確認要求とを受信する。連携サーバ３０Ｃは、認証確認要求受信手段３０３によって、受信した連携識別情報ＩＤCを、連携処理手段３６Ｃに出力する。
また、連携サーバ３０Ｃは、連携処理手段３６Ｃによって、連携識別情報記憶手段３１Ｃを検索し、連携識別情報ＩＤCを認証する（ステップＳ３７）。なお、連携識別情報ＩＤCが見つからなければ、処理を終了する。
【０１５２】
さらに、連携サーバ３０Ｃは、連携処理手段３６Ｃによって、連携識別情報記憶手段３１Ｃを検索した結果、連携識別情報ＩＤCが見つかった場合、連携識別情報ＩＤCを、連携識別情報ＩＤCと対応付けられて記憶された識別情報ＩＤBに置き換えて、この識別情報ＩＤBを、認証確認結果として認証確認結果送信手段３０２に出力する（ステップＳ３８）。
そして、連携サーバ３０Ｃは、認証確認結果送信手段３０２によって、連携処理手段３６Ｃから入力を受け付けた識別情報ＩＤBを、外部情報提供サーバ２０Ｃに送信する（ステップＳ３９）。
【０１５３】
外部情報提供サーバ２０Ｃは、認証確認結果受信手段２０２によって、連携サーバ３０Ｃから識別情報ＩＤBを受信する。そして、外部情報提供サーバ２０Ｃは、認証確認結果受信手段２０２によって、認証が確認されたことを示す信号を要求情報検索手段２６Ｃに出力する。
また、外部情報提供サーバ２０Ｃは、要求情報検索手段２６Ｃによって、認証確認結果受信手段２０２から認証が確認されたことを示す信号の入力を受け付けると、ステップＳ３５で属性情報要求受信手段２３Ｃから入力を受け付けた属性情報要求に基づいて外部情報記憶手段２２を検索し、属性情報要求に対応する属性情報を取得し、取得した属性情報を、属性情報送信手段２７Ｃに出力する（ステップＳ４０）。
そして、外部情報提供サーバ２０Ｃは、属性情報送信手段２７Ｃによって、要求情報検索手段２６Ｃから属性情報の入力を受け付け、入力を受け付けた属性情報を、コンテンツ提供サーバ１０Ｃに送信する（ステップＳ４１）。
【０１５４】
コンテンツ提供サーバ１０Ｃは、属性情報受信手段１６Ｃによって、外部情報提供サーバ２０Ｃから属性情報を受信し、受信した属性情報を、コンテンツ整形手段１７に出力する。
【０１５５】
第３実施形態に係るデータ放送システム１Ｃによれば、コンテンツ提供サーバと外部情報提供サーバとの間で情報をやり取りするために必要な認証を、全て連携サーバで行うこととしたため、安全かつ円滑に情報のやり取りが可能なデータ放送サービスシステムを構築することが可能となる。
例えば、連携サーバ３０Ｃを安全な第３者機関が運用する場合に、全ての認証を連携サーバ３０Ｃに委ねることで、簡易な構成で安全かつ高速に情報のやり取りが可能なデータ放送サービスシステムを構築することが可能となる。また、全ての認証を連携サーバ３０Ｃに委ねることで、コンテンツ提供サーバ１０Ｃから識別情報記憶手段と認証手段とを省略することができるので、構成を簡素化することができる。
これによれば、簡易な構成で安全かつ高速に情報のやり取りが可能なデータ放送サービスシステムの構築の要望に応えることが可能となる。
【０１５６】
以上、本発明の実施形態について説明したが、本発明は前記した各実施形態に限られるものではない。
例えば、前記各実施形態に係るデータ放送システムによって可能となった放送番組コンテンツと外部情報との連携提示を用いたサービス形態として、外部から取得した情報をもとに番組を検索しても良い。以下、図１３を参照して具体的に説明する。
【０１５７】
データ放送システム１Ｄの説明において、第１実施形態に係るデータ放送システム１と同一の機能を有する手段及び同一の部材には同一の符号を付し、説明を省略する。
データ放送システム１Ｄは、コンテンツ提供サーバ１０と、番組コンテンツ提供サーバ５０と、外部情報提供サーバ２０と、連携サーバ３０と、受信端末４０Ｄとを備え、これらがネットワークを介して相互に接続されて構成される。つまり、データ放送システム１Ｄは、放送局が、コンテンツ提供サーバ１０に加え、番組コンテンツ提供サーバ５０を備える点で、前記各実施形態に係るデータ放送システムと異なる。ここで、番組コンテンツ提供サーバ５０は、放送番組を蓄積する手段であり、放送番組を記憶するための記憶手段を有する。
図１４に示すように、受信端末４０Ｄは、第１実施形態に係る受信端末４０に加え、不揮発性記憶領域４８をさらに備える。ここでは、不揮発性記憶領域４８には、外部情報提供サーバ２０から取得した外部情報が格納されている。
【０１５８】
次に、データ放送システム１Ｄの動作について説明する。
データ放送システム１Ｄは、第１実施形態に係るデータ放送システム１に、取得した外部情報をもとに、当該外部情報に関連する放送番組を検索する機能を追加したものであるため、ここでは、受信端末４０Ｄで、外部情報をもとに放送番組の検索を行う場合の動作についてのみ説明し、その他の第１実施形態に係るデータ放送システム１と共通する動作の説明は省略する。
【０１５９】
図１５に示すように、受信端末４０Ｄは、第１実施形態と同様に、外部情報提供サーバ２０から外部情報を取得する（ステップＳ５１）。そして、受信端末４０Ｄは、外部情報受信手段４３によって、取得した外部情報に予め付加された秘匿レベルが、ユーザにより予め設定されたアクセスレベルを超えるか否かを判定し、秘匿レベルがアクセスレベルを超えると判定された場合（ステップＳ５２でＹｅｓ）には、外部情報を、不揮発性記憶領域４８に格納せずに処理を終了する。一方、受信端末４０Ｄは、外部情報受信手段４３によって、秘匿レベルがアクセスレベルを超えないと判定された場合（ステップＳ５２でＮｏ）には、外部情報を、不揮発性記憶領域４８に格納する。
ここでの外部情報は、主に秘匿性の高い個人情報であるため、このようにして、ユーザが初期設定等により予め許可した情報のみを格納するようにする。
【０１６０】
不揮発性記憶領域４８に格納した情報は、必要に応じて、ＢＭＬコンテンツから読み出すことができる。受信端末４０Ｄは、画面表示手段４５によって、ＢＭＬコンテンツから記憶内容の読み出しの指示の入力を受け付けると（ステップＳ５３）、読み出した内容をキーワードとして、番組コンテンツ提供サーバ５０に検索を実行する（ステップＳ５４）。そして、図１６に示すように、受信端末４０Ｄは、画面表示手段４５によって、検索結果として、関連する放送番組の一覧を受信端末４０Ｄの表示画面に表示する（ステップＳ５５）。
【０１６１】
データ放送システム１Ｄによれば、第１実施形態に係るデータ放送システム１の作用に加え、外部情報をもとに放送番組の検索を行うことができるので、より利便性を向上させることができる。
【０１６２】
なおここでは、データ放送システム１Ｄに番組コンテンツ提供サーバ５０を含む構成としたが、これに限られるものではない。例えば、番組コンテンツ提供サーバ５０を設けずに、受信端末４０Ｄが、放送波で受信するＥＰＧ（Electric Program Guide）情報を対象として、関連番組を検索する構成としても良い。
【０１６３】
またここでは、外部情報の一部を不揮発性記憶領域４８に格納し、この外部情報を用いて放送局の番組コンテンツ提供サーバ５０の番組検索を行ったが、これに限られるものではなく、予め不揮発性記憶領域４８に格納されている情報を用いて、外部情報の要求を行うことも可能である。例えば、予め不揮発性記憶領域４８に格納されているユーザの嗜好情報を利用して、この嗜好情報と関連のある外部情報を要求することも可能である。
これによれば、個々のユーザに対応したサービスを提供することができるので、より利便性を向上させることができる。
【０１６４】
また例えば、前記した各実施形態では、行政サービスを扱う外部情報提供サーバと提携する場合について説明したが、これに限られるものではなく、例えば民間サービスを扱う外部情報提供サーバとも提携することができることはもちろんである。
【０１６５】
さらに例えば、前記した各実施形態では、外部情報が秘匿性の高い情報である場合を想定し、外部情報の秘匿性を確保するために、外部情報の属性情報のみを放送局に提供可能とし、外部情報そのものは受信端末に直接提供する手法について説明したが、外部情報の一部に公開しても良い情報を含む場合は、かかる一部の外部情報については、コンテンツ提供サーバを経由させても良い。
【０１６６】
以下、外部情報の一部に公開しても良い情報を含む場合の、公開しても良い一部の外部情報及び秘匿性の高い外部情報のデータの流れの一例について、第１実施形態に係るデータ放送システム１を用いて、適宜図１及び図２を参照して説明する。なお、第１実施形態で述べた事項については、適宜説明を省略する。なおここでは、外部情報提供元と放送局との間で、外部情報の中で、放送局に受け渡してもいい一部の外部情報についての契約を予め結んでおり、この情報を、外部情報提供元と放送局とでそれぞれ保有し、適宜参照することができるものとする。
ここでは、外部情報提供サーバ２０が有する外部情報のうち、公開しても良い一部の外部情報を、「個人の年代に応じた健康診断のお知らせ情報」とし、秘匿性の高い外部情報を、具体的な病名や既往歴等の情報とする。
【０１６７】
コンテンツ提供サーバ１０は、コンテンツ要求受信手段１３によって、受信端末４０からコンテンツ要求の入力を受け付けると、認証手段１４によって、認証情報ＶAの認証を行うとともに、コンテンツ要求に含まれる識別情報ＩＤAと対応付けられた連携識別情報ＩＤA´と、外部情報を特定する要求サービス種別と、ユーザの年代に関する健康診断のお知らせ（公開しても良い一部の外部情報）の要求とを、外部情報の属性情報を要求する属性情報要求として、属性情報要求送信手段１５に出力する。
コンテンツ提供サーバ１０は、属性情報要求送信手段１５によって、属性情報要求を連携サーバ３０に送信する。
【０１６８】
連携サーバ３０は、属性情報要求受信手段３２によって、コンテンツ提供サーバ１０から送信された属性情報要求を受信し、受信した属性情報要求を連携処理手段３６に出力する。
連携サーバ３０は、連携処理手段３６によって、属性情報要求に含まれる連携識別情報ＩＤA´を連携識別情報ＩＤB´に置き換えて、この連携識別情報ＩＤB´を含む属性情報要求を外部情報提供サーバ２０に送信する。
【０１６９】
外部情報提供サーバ２０は、属性情報要求受信手段２３によって、連携サーバ３０から属性情報要求の入力を受け付けると、認証手段２５によって、属性情報要求に含まれる連携識別情報ＩＤB´と対応付けられた識別情報ＩＤBのユーザを認証する。
【０１７０】
また、外部情報提供サーバ２０は、認証手段２５によって、認証が確認された場合、要求情報検索手段２６に、属性情報要求を出力する。
ここでは、ユーザの年代に関する情報を、予め識別情報記憶手段２１に記憶しておくものとする。この属性情報は、外部情報記憶手段２２に記憶しておいても良い。
【０１７１】
外部情報提供サーバ２０は、要求情報検索手段２６によって、属性情報要求に基づき、識別情報記憶手段２１を検索し、識別情報ＩＤBと対応付けられたユーザの年代を参照する。続いて、外部情報提供サーバ２０は、要求情報検索手段２６によって、参照したユーザの年代をもとに外部情報記憶手段２２を検索し、公開しても良い一部の外部情報である「ユーザの年代に応じた健康診断のお知らせ」を取得する。例えば、６０代の人からの要求であれば、６０代以上向けの健康診断のお知らせを取得する。また、外部情報提供サーバ２０は、要求情報検索手段２６によって、属性情報要求に基づき、外部情報記憶手段２２から、病名や既往歴などの秘匿性の高い外部情報についての属性情報を取得する。
そして、外部情報提供サーバ２０は、要求情報検索手段２６によって、公開しても良い一部の外部情報と、秘匿性の高い外部情報の属性情報と、連携識別情報ＩＤB´とを属性情報送信手段２７に出力し、属性情報送信手段２７によって、公開しても良い一部の外部情報と、秘匿性の高い外部情報の属性情報と、連携識別情報ＩＤB´とを連携サーバ３０に出力する。
【０１７２】
連携サーバ３０は、連携処理手段３６によって、連携識別情報ＩＤB´を連携識別情報ＩＤA´に置き換えて、連携識別情報ＩＤA´と公開しても良い外部情報と属性情報とをコンテンツ提供サーバ１０に送信する。
【０１７３】
コンテンツ提供サーバ１０は、属性情報受信手段１６によって、連携識別情報ＩＤA´と、公開しても良い外部情報と、外部情報の属性情報とを含む属性情報の入力を受け付けると、連携識別情報ＩＤA´を認証手段１４に出力し、外部情報の属性情報と公開しても良い外部情報とをコンテンツ整形手段１７に出力する。コンテンツ提供サーバ１０は、コンテンツ整形手段１７によって、秘匿性の高い外部情報の属性情報と、公開しても良い一部の外部情報（ここでは、年代に関する健康診断のお知らせの情報）とに合わせてコンテンツを整形し、整形したコンテンツをコンテンツ送信手段１８に出力する。
このとき、コンテンツ提供サーバ１０は、コンテンツ整形手段１７によって、年代に関する健康診断のお知らせの情報の中に、「年金」という単語を見つけた場合、コンテンツ提供サーバ１０は、この「年金」という単語をキーワードとして、コンテンツ提供サーバ１０が有する図示しない検索手段によって図示しない記憶手段を検索して、「年金」に関する情報を読み出し、この「年金」に関する情報を付加してコンテンツを整形し、受信端末４０に提供することもできる。
そして、コンテンツ提供サーバ１０は、認証手段１４によって、識別情報記憶手段１１から連携識別情報ＩＤA´と対応付けられた識別情報ＩＤAを読み出し、コンテンツ送信手段１８に出力する。
コンテンツ提供サーバ１０は、コンテンツ送信手段１８によって、識別情報ＩＤAと対応付けられたユーザに、整形されたコンテンツを送信する。
【０１７４】
受信端末４０は、コンテンツ受信手段４２によって、コンテンツ提供サーバ１０から送信されたコンテンツを受信し、コンテンツ合成手段４４に出力する。また、受信端末４０は、外部情報要求送信手段４１ｂによって、外部情報要求を外部情報提供サーバ２０に送信し、外部情報受信手段４３によって、外部情報提供サーバ２０から、外部情報として病名や既往歴等を直接取得し、コンテンツ合成手段４４に出力する。そして、受信端末４０は、コンテンツ合成手段４４によって、コンテンツと外部情報とを合成して画面表示手段４５に出力し、画面表示手段４５によって表示画面（図示せず）に表示する。
【０１７５】
これによれば、放送局によって、外部情報提供サーバの保有する外部情報に含まれる、公開しても良い情報を取得可能とすることで、放送局側で、例えばユーザの要求した外部情報に関連する情報や補足する情報などの適切な情報（画像やテキストなど）を提供することも可能となるため、ユーザの利便性をより向上させることが可能となる。
また、本発明のデータ放送システムを多様なサービスに対応させることができる。
さらに、ユーザに、より視認性の高い情報閲覧を可能とすることができる。
【０１７６】
さらに、これを応用し、本発明のデータ放送システムにより、有料オンデマンドサービスと連携したサービスを扱うことも可能となる。以下、本発明の第１実施形態に係るデータ放送システム１を用いて有料オンデマンドサービスでの課金処理サービスを扱う場合を例にとって説明する。
ここでは、外部情報提供サーバが有する外部情報のうち、公開しても良い一部の外部情報を、「銀行支店名やクレジットカード種別」とし、秘匿性の高い外部情報を、「口座の詳細な金額情報等」とする。
【０１７７】
ユーザが、コンテンツ提供サーバ１０から取得した誘導画面（図６参照）から、蓄積型コンテンツの購入手続きを行うと、コンテンツ提供サーバ１０は、属性情報要求送信手段１５によって、連携識別情報ＩＤA´と、外部情報の要求サービス種別と、公開しても良い一部の外部情報要求（銀行支店名、クレジット種別）とを、外部情報の属性情報を要求する属性情報要求として連携サーバ３０に送信する。連携サーバ３０は、属性情報要求受信手段３２によって当該属性情報要求を受信し、連携処理手段３６によって第１実施形態で記載した連携処理を行い、属性情報要求送信手段３３によって、連携識別情報ＩＤB´と、外部情報の要求サービス種別と、公開しても良い一部の外部情報要求（銀行支店名、クレジット種別）とを含む属性情報要求を外部情報提供サーバ２０に送信する。
【０１７８】
外部情報提供サーバ２０は、属性情報要求受信手段２３によって、連携サーバ３０から送信された属性情報要求を受信し、要求情報検索手段２６によって、受信した属性情報要求に応じて外部情報記憶手段２２から検索した属性情報を属性情報送信手段２７に出力する。ここでは、属性情報に、秘匿性の高い外部情報である口座の詳細な金額等の情報量や情報格納先等を示す属性情報と、公開しても良い一部の外部情報である銀行支店名やクレジット種別とを含む。
そして、外部情報提供サーバ２０は、属性情報送信手段２７によって、外部情報の属性情報と、公開しても良い一部の外部情報である銀行支店名やクレジット種別と、連携識別情報ＩＤA´とを含む属性情報を、連携サーバ３０を介してコンテンツ提供サーバ１０に送信する。
【０１７９】
そして、コンテンツ提供サーバ１０は、属性情報受信手段１６によって連携サーバ３０から送信された属性情報を受信し、外部情報の属性情報と、公開しても良い一部の外部情報とをコンテンツ整形手段１７に出力するとともに、連携識別情報ＩＤA´を認証手段１４に出力する。
コンテンツ提供サーバ１０は、コンテンツ整形手段１７によって、外部情報の属性情報と、銀行やクレジットカード会社に合わせた適切な表示形式にコンテンツを変換して、コンテンツ購入の課金処理が可能となる購入画面を生成してコンテンツ送信手段１８に出力する。
また、コンテンツ提供サーバ１０は、認証手段１４によって、識別情報記憶手段１１から連携識別情報ＩＤA´と対応付けられた識別情報ＩＤAを読み出し、コンテンツ送信手段１８に出力する。
そして、コンテンツ提供サーバ１０は、コンテンツ送信手段１８によって、整形されたコンテンツを、識別情報ＩＤAに対応する受信端末４０に送信する。
【０１８０】
受信端末４０は、コンテンツ受信手段４２によって、コンテンツ提供サーバ１０から送信された購入画面を受信し、コンテンツ合成手段４４に出力する。
また、受信端末４０は、外部情報要求送信手段４１ｂによって、外部情報要求を外部情報提供サーバ２０に送信し、外部情報受信手段４３によって、外部情報提供サーバ２０から、外部情報として口座の詳細な金額等を直接取得し、コンテンツ合成手段４４に出力する。そして、受信端末４０は、コンテンツ合成手段４４によって、購入画面と外部情報とを合成して画面表示手段４５に出力し、画面表示手段４５によって表示画面（図示せず）に表示する。
【０１８１】
これによれば、個人の情報量に合ったテンプレートであり、かつ、個人の利用する銀行やクレジット会社に合ったテンプレートを提供することができるので、ユーザに、より視認性の高い情報閲覧を可能とすることができる。このため、データ放送で有料オンデマンドサービスでの課金処理サービスを扱いたいという要望に応えることが可能となり、データ放送システムをより拡充することができる。また、ユーザの利便性をさらに向上させることができる。
【０１８２】
なお、前記した各実施形態では、属性情報を情報量や情報格納先等としたが、これらに限られるものではなく、プライバシー保護の必要がない情報であれば、幅広く捉えることができる。
【０１８３】
前記した各実施形態では、本発明に係るコンテンツ提供サーバを、独立した装置として説明したが、本発明では、一般的なコンピュータを、前記した各手段として機能させるプログラムによって動作させることもできる。このプログラムは、通信回線を介して配布しても良く、ＣＤ−ＲＯＭやフラッシュメモリ等の記録媒体に書き込んで配布しても良い。外部情報提供サーバ、連携サーバ、番組コンテンツ提供サーバについても同様である。
【符号の説明】
【０１８４】
１      データ放送システム
１０      コンテンツ提供サーバ
１１      識別情報記憶手段（第１識別情報記憶手段）
１２      コンテンツ記憶手段
１３      コンテンツ要求送信手段
１４      認証手段
１５      属性情報要求送信手段（第１属性情報要求送信手段）
１６      属性情報受信手段（第２属性情報受信手段）
１７      コンテンツ整形手段
１８      コンテンツ送信手段
２０      外部情報提供サーバ
２１      識別情報記憶手段（第２識別情報記憶手段）
２２      外部情報記憶手段
２３      属性情報要求受信手段（第２属性情報要求受信手段）
２４      外部情報要求受信手段
２５      認証手段
２６      要求情報検索手段
２７      属性情報送信手段（第１属性情報送信手段）
２８      外部情報送信手段
３０      連携サーバ
３１      連携識別情報記憶手段
３２      属性情報要求受信手段（第１属性情報要求受信手段）
３３      属性情報要求送信手段（第２属性情報要求送信手段）
３４      属性情報受信手段（第１属性情報受信手段）
３５      属性情報送信手段（第２属性情報送信手段）
３６      連携処理手段
４０      受信端末
４１      サービス要求送信手段
４１ａ    コンテンツ要求送信手段
４１ｂ    外部情報要求送信手段
４２      コンテンツ受信手段
４３      外部情報受信手段
４４      コンテンツ合成手段
４５      画面表示手段
１Ｂ    データ放送システム
１０Ｂ    コンテンツ提供サーバ
１９      属性情報送信手段（第３属性情報送信手段）
２０      外部情報提供サーバ
３０      連携サーバ
４０Ｂ    受信端末
４６      属性情報受信手段（第３属性情報受信手段）
４７      コンテンツ整形手段
１Ｃ    データ放送システム
１０Ｃ    コンテンツ提供サーバ
１５Ｃ    属性情報要求送信手段
１６Ｃ    属性情報受信手段
１０１    認証要求送信手段
１０２    認証結果受信手段
２０Ｃ    外部情報提供サーバ
２３Ｃ    属性情報要求受信手段
２７Ｃ    属性情報送信手段
２０１    認証確認要求送信手段
２０２    認証確認結果受信手段
３０Ｃ    連携サーバ
３１Ｃ    連携識別情報記憶手段
３０１    認証要求受信手段
３０２    認証結果送信手段
３０３    認証確認要求受信手段
３０４    認証確認結果送信手段
３６Ｃ    連携処理手段
１Ｄ    データ放送システム
４０Ｄ    受信端末
４８      不揮発性記憶領域
５０      番組コンテンツ提供サーバ
【図１】
2010212910.tif 000003
【図２】
2010212910.tif 000004
【図３】
2010212910.tif 000005
【図４】
2010212910.tif 000006
【図５】
2010212910.tif 000007
【図６】
2010212910.tif 000008
【図７】
2010212910.tif 000009
【図８】
2010212910.tif 000010
【図９】
2010212910.tif 000011
【図１０】
2010212910.tif 000012
【図１１】
2010212910.tif 000013
【図１２】
2010212910.tif 000014
【図１３】
2010212910.tif 000015
【図１４】
2010212910.tif 000016
【図１５】
2010212910.tif 000017
【図１６】
2010212910.tif 000018